(57)【要約】  本出願は、指示方法、ネットワークデバイス、及びユーザ装置を提供する。ネットワークデバイスは、１つ以上の下りリンク送信単位で搬送される指示情報（これらに限られないがビットマップ、数量Ｗｔを示す情報、及びインデックスを示す情報を含む）を使用することにより、ネットワークデバイスにより受信される必要がある１つ以上の下りリンク送信単位セットについての受信応答、すなわち、ＵＥによりネットワークデバイスに送出される必要がある１つ以上の下りリンク送信単位セットについての受信応答を明示的又は暗黙的に示し、それにより、ＵＥは、ネットワークデバイスが送出するようＵＥに指示した、下りリンク送信単位セットについての受信応答を、正しい上りリンク送信単位で正しく送出することができる。このようにして、エラー及び不要な再送信が低減され、サービス品質が確保され、通信効率が改善される。特に、アンライセンスのリッスンビフォアトーク上りリンク送信単位（チャネル）上で、通信システム全体の誤り率をさらに低減でき、通信品質及び効率を改善できる。
2021513788.tif 000002
【特許請求の範囲】
【請求項１】
指示方法であって、
ユーザ装置ＵＥにより、下りリンク送信単位セットに含まれる１つ以上の下りリンク送信単位で、ネットワークデバイスにより送出されたビットマップを受信するステップ、を含み、
前記ビットマップは、前記下りリンク送信単位セットに対応する上りリンク送信単位で１つ以上の下りリンク送信単位セットについての受信応答を送出するよう前記ＵＥに指示するために使用される、指示方法。
【請求項２】
前記ネットワークデバイスが最大Ｍ個の下りリンク送信単位セットをサポートする場合、Ｍが１以上の正の整数である場合に、前記ビットマップにおけるビット数量はＭである、請求項１に記載の指示方法。
【請求項３】
前記ビットマップにおける１ビットは、前記ＵＥが１つの下りリンク送信単位セットについての受信応答を送出するかどうかを示すために使用される、請求項１又は２に記載の指示方法。
【請求項４】
当該指示方法は、
前記ＵＥにより、前記下りリンク送信単位セットのインデックスを取得するステップであり、１つのインデックスは１つの下りリンク送信単位セットに対応する、ステップ
をさらに含む請求項１乃至３のうちいずれか１項に記載の指示方法。
【請求項５】
当該指示方法は、
前記ＵＥにより、前記下りリンク送信単位セットに対応する前記上りリンク送信単位で、前記ビットマップに示される前記１つ以上の下りリンク送信単位セットについての前記受信応答を送出するステップ
をさらに含む請求項１乃至４のうちいずれか１項に記載の指示方法。
【請求項６】
当該指示方法は、前記ＵＥにより、前記上りリンク送信単位がアイドルかどうかを監視するステップ、をさらに含み、
前記ＵＥにより、前記下りリンク送信単位セットに対応する前記上りリンク送信単位で、前記ビットマップに示される前記１つ以上の下りリンク送信単位セットについての前記受信応答を送出するステップは、前記上りリンク送信単位がアイドルである場合、前記ＵＥにより、前記下りリンク送信単位セットに対応する前記上りリンク送信単位で、前記ビットマップに示される前記１つ以上の下りリンク送信単位セットについての前記受信応答を送出するステップを含む、
請求項１乃至５のうちいずれか１項に記載の指示方法。
【請求項７】
指示方法であって、
ネットワークデバイスにより、ビットマップを決定するステップであり、前記ビットマップは、前記ネットワークデバイスが１つ以上の下りリンク送信単位セットについての受信応答を受信する必要があることを示すために使用される、ステップと、
前記ネットワークデバイスにより、下りリンク送信単位セットに含まれる１つ以上の第１の下りリンク送信単位でユーザ装置ＵＥに前記ビットマップを送出するステップと、
を含む指示方法。
【請求項８】
受信される必要がある前記１つ以上の下りリンク送信単位セットについての前記受信応答は、
現在の下りリンク送信単位が属する下りリンク送信単位セットについての受信応答と、
過去に前記ネットワークデバイスにより受信を不成功に終えられた１つ以上の下りリンク送信単位セットについての受信応答と、
を含む、請求項７に記載の指示方法。
【請求項９】
過去に前記ネットワークデバイスにより受信を不成功に終えられた前記１つ以上の下りリンク送信単位セットについての前記受信応答は、
前記下りリンク送信単位セットの前の１つ以上の下りリンク送信単位でビットマップにおいて前記ネットワークデバイスにより示された１つ以上の下りリンク送信単位セットについての、前記ネットワークデバイスにより受信を不成功に終えられた受信応答
を含まない、請求項８に記載の指示方法。
【請求項１０】
前記ネットワークデバイスが最大Ｍ個の下りリンク送信単位セットをサポートする場合、Ｍが１以上の正の整数である場合に、前記ビットマップにおけるビット数量はＭである、
請求項７乃至９のうちいずれか１項に記載の指示方法。
【請求項１１】
前記ビットマップにおける１ビットは、１つの下りリンク送信単位セットを示すために使用される、請求項７乃至１０のうちいずれか１項に記載の指示方法。
【請求項１２】
前記ネットワークデバイスは、前記下りリンク送信単位セットに含まれる前記１つ以上の下りリンク送信単位で前記ＵＥに前記下りリンク送信単位セットのインデックスを送出し、
１つのインデックスは１つの下りリンク送信単位セットに対応する、
請求項７乃至１１のうちいずれか１項に記載の指示方法。
【請求項１３】
当該指示方法は、
前記ネットワークデバイスにより、前記下りリンク送信単位セットに対応する上りリンク送信単位で前記１つ以上の下りリンク送信単位セットについての前記受信応答を受信するステップ
をさらに含む請求項７乃至１２のうちいずれか１項に記載の指示方法。
【請求項１４】
当該指示方法は、
前記ネットワークデバイスが前記１つ以上の下りリンク送信単位セットについての前記受信応答を成功裏に受信した場合、前記ネットワークデバイスにより、前記１つ以上の下りリンク送信単位セットの１つ又は複数のインデックスから前記１つ以上の下りリンク送信単位セットを結び付け解除するステップ
をさらに含む請求項１３に記載の指示方法。
【請求項１５】
指示方法であって、
ユーザ装置ＵＥにより、第１の下りリンク送信単位セットに含まれる１つ以上の下りリンク送信単位で、ネットワークデバイスにより送出されかつ数量Ｗｔを示す情報を受信するステップであり、Ｗｔは正の整数又は０である、ステップ、を含み、
前記数量Ｗｔを示す前記情報は、前記第１の下りリンク送信単位セットに対応する上りリンク送信単位でＷｔ個の下りリンク送信単位セットについての受信応答を送出するよう前記ＵＥに指示するために使用される、指示方法。
【請求項１６】
当該指示方法は、
前記ＵＥにより、前記第１の下りリンク送信単位セットに対応する前記上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するステップ
をさらに含む請求項１５に記載の指示方法。
【請求項１７】
前記第１の下りリンク送信単位セットが少なくとも２つの下りリンク送信単位を含む場合、
前記ＵＥにより、前記第１の下りリンク送信単位セットに対応する前記上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するステップは、前記ＵＥにより、前記第１の下りリンク送信単位セットに対応する前記上りリンク送信単位で、前記数量Ｗｔを示しかつ前記第１の下りリンク送信単位セットに含まれる最後の下りリンク送信単位で受信された前記情報に基づいて前記Ｗｔ個の下りリンク送信単位セットについての前記受信応答を送出するステップを含む、
請求項１６に記載の指示方法。
【請求項１８】
Ｗｔが１に等しい場合、前記Ｗｔ個の下りリンク送信単位セットは前記第１の下りリンク送信単位セットである、請求項１５乃至１７のうちいずれか１項に記載の指示方法。
【請求項１９】
Ｗｔが２以上であり、前記第１の下りリンク送信単位セット内の全ての下りリンク送信単位上のＷｔが同じ場合、前記Ｗｔ個の下りリンク送信単位セットについての前記受信応答は、第１のセットについての受信応答と第３のセットについての受信応答を含み、
前記第１のセットについての前記受信応答は、前記第１の下りリンク送信単位セットについての受信応答を含み、
前記第３のセットについての前記受信応答は、Ｗｔ−１個の下りリンク送信単位セットについての受信応答を含み、
前記Ｗｔ−１個の下りリンク送信単位セットについての前記受信応答は、前記ネットワークデバイスが前記第１の下りリンク送信単位セットの前のＥ個の上りリンク送信単位で送出するよう前記ＵＥに指示した、前記Ｗｔ−１個の下りリンク送信単位セットについての応答を含み、ＥはＷｔ−１以下である、
請求項１５乃至１８のうちいずれか１項に記載の指示方法。
【請求項２０】
Ｗｔが２以上であり、前記第１の下りリンク送信単位セット内の全ての下りリンク送信単位上のＷｔがＢ回変わる場合、前記Ｗｔ個の下りリンク送信単位セットについての前記受信応答は、第１のセットについての受信応答、第２のセットについての受信応答、及び第３のセットについての受信応答を含み、
前記第１のセットについての前記受信応答は、前記第１の下りリンク送信単位セットについての受信応答を含み、
前記第２のセットについての前記受信応答は、Ａ個の下りリンク送信単位セットについての受信応答を含み、前記Ａ個の下りリンク送信単位セットについての前記受信応答は、前記ネットワークデバイスが前記Ｂ個の変更の各々の後に存在する最初の下りリンク送信単位の前の上りリンク送信単位で送出するよう前記ＵＥに指示した、Ｃ個の下りリンク送信単位セットについての受信応答を含み、Ａ、Ｂ、及びＣは１以上の整数であり、ＢはＡ以下であり、ＣはＡ以下であり、
前記第３のセットは、Ｄ個の下りリンク送信単位セットについての受信応答を含み、前記Ｄ個の下りリンク送信単位セットについての前記受信応答は、前記ネットワークデバイスが前記第１の下りリンク送信単位セットの前のＥ個の上りリンク送信単位で送出するよう前記ＵＥに指示した、前記Ｄ個の下りリンク送信単位セットについての受信応答を含み、Ｅ及びＤは０以上の整数であり、ＥはＤ以下であり、前記Ｄ個の下りリンク送信単位セットは、前記第１のセット又は前記第２のセットに含まれる下りリンク送信単位セットを含まず、
Ａ＋Ｄ＋１＝Ｗｔである、
請求項１５乃至１８のうちいずれか１項に記載の指示方法。
【請求項２１】
当該指示方法は、前記ＵＥにより、指示オフセットＫに関する情報を取得するステップであり、Ｋは０以上の正の整数である、ステップをさらに含み、
前記第１の下りリンク送信単位セットの前の前記Ｅ個の上りリンク送信単位は、前記第１の下りリンク送信単位セットをＫ個の送信単位だけ前方にオフセットすることにより得られる下りリンク送信単位の前のＥ個の上りリンク送信単位を含む、
請求項１９又は２０のうちいずれか１項に記載の指示方法。
【請求項２２】
当該指示方法は、前記ＵＥにより、指示オフセットＫに関する情報を取得するステップであり、Ｋは０以上の正の整数である、ステップをさらに含み、
各変更の後に存在する前記最初の下りリンク送信単位の前の前記上りリンク送信単位は、各変更の後に存在する前記最初の下りリンク送信単位をＫ個の送信単位だけ前方にオフセットすることにより得られる下りリンク送信単位の前の上りリンク送信単位を含む、
請求項２０に記載の指示方法。
【請求項２３】
前記ＵＥはインデックスを取得し、１つのインデックスは１つの下りリンク送信単位セットに対応する、請求項１５乃至２２のうちいずれか１項に記載の指示方法。
【請求項２４】
前記ＵＥにより、前記第１の下りリンク送信単位セットに対応する前記上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するステップは、
前記ＵＥにより、前記インデックスに対応する上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するステップ
を含む、請求項２３に記載の指示方法。
【請求項２５】
当該指示方法は、前記ＵＥにより、前記上りリンク送信単位がアイドルかどうかを監視するステップをさらに含み、
前記ＵＥにより、前記第１の下りリンク送信単位セットに対応する前記上りリンク送信単位で、前記数量Ｗｔを示しかつ前記１つ以上の下りリンク送信単位で受信された前記情報に基づいて前記受信応答を送出するステップは、前記上りリンク送信単位がアイドルである場合、前記ＵＥにより、前記第１の下りリンク送信単位セットに対応する前記上りリンク送信単位で、前記数量Ｗｔを示しかつ前記１つ以上の下りリンク送信単位で受信された前記情報に基づいて前記受信応答を送出するステップを含む、請求項１５乃至２４のうちいずれか１項に記載の指示方法。
【請求項２６】
前記数量Ｗｔを示す前記情報は、前記１つ以上の下りリンク送信単位で搬送される下りリンク制御情報ＤＣＩを使用することにより示される、請求項１５乃至２５のうちいずれか１項に記載の指示方法。
【請求項２７】
前記ＤＣＩは下りリンク割り当てインデックスＤＡＩを含み、前記ＤＡＩは、前記第１の下りリンク送信単位セットに対応する前記上りリンク送信単位でＷｕ個の下りリンク送信単位についての受信応答を送出するよう前記ＵＥに指示するために使用される、請求項２６に記載の指示方法。
【請求項２８】
当該方法は、
前記ＵＥにより、前記第１の下りリンク送信単位セットに含まれる前記１つ以上の下りリンク送信単位で、前記ネットワークデバイスにより送出されかつ数量Ｗｕを示す情報を受信するステップであり、Ｗｕは正の整数又は０である、ステップをさらに含み、
前記数量Ｗｕを示す前記情報は、前記第１の下りリンク送信単位セットに対応する前記上りリンク送信単位でＷｕ個の下りリンク送信単位についての受信応答を送出するよう前記ＵＥに指示するために使用される、
請求項１５乃至２５のうちいずれか１項に記載の指示方法。
【請求項２９】
前記数量Ｗｕを示す前記情報は、前記１つ以上の下りリンク送信単位で搬送される下りリンク制御情報ＤＣＩ内のＤＡＩインデックスを使用することにより示される、請求項２８に記載の指示方法。
【請求項３０】
前記ＤＡＩ内のトータルＤＡＩが、前記第１の下りリンク送信単位セットに対応する前記上りリンク送信単位で前記Ｗｕ個の下りリンク送信単位についての前記受信応答を送出するよう前記ＵＥに指示するために使用される、請求項２７又は２９に記載の指示方法。
【請求項３１】
指示方法であって、
ユーザ装置ＵＥにより、第１の下りリンク送信単位セットに含まれる１つ以上の下りリンク送信単位で、ネットワークデバイスにより送出されかつ数量Ｗｕを示す情報を受信するステップであり、Ｗｕは正の整数又は０である、ステップを含み、
前記数量Ｗｕを示す前記情報は、前記第１の下りリンク送信単位セットに対応する上りリンク送信単位でＷｕ個の下りリンク送信単位についての受信応答を送出するよう前記ＵＥに指示するために使用される、指示方法。
【請求項３２】
当該指示方法は、
前記ＵＥにより、前記第１の下りリンク送信単位セットに対応する前記上りリンク送信単位で、前記数量Ｗｕを示しかつ前記１つ以上の下りリンク送信単位で受信された前記情報に基づいて前記Ｗｕ個の下りリンク送信単位についての受信応答を送出するステップ
をさらに含む請求項３１に記載の指示方法。
【請求項３３】
前記数量Ｗｕを示す前記情報は、前記１つ以上の下りリンク送信単位で搬送される下りリンク制御情報ＤＣＩ内のＤＡＩインデックスを使用することにより示される、請求項３２に記載の指示方法。
【請求項３４】
指示方法であって、
ネットワークデバイスにより、数量Ｗｔを示す情報を決定するステップであり、Ｗｔは１以上の正の整数であり、
前記数量Ｗｔを示す前記情報は、前記ネットワークデバイスがＷｔ個の下りリンク送信単位セットについての受信応答を受信する必要があることを示すために使用される、ステップと、
前記ネットワークデバイスにより、ユーザ装置ＵＥに、下りリンク送信単位セットに含まれる１つ以上の下りリンク送信単位で前記数量Ｗｔを示す前記情報を送出するステップと、
を含む指示方法。
【請求項３５】
受信される必要がある前記Ｗｔ個の下りリンク送信単位セットについての前記受信応答は、
現在の下りリンク送信単位が属する下りリンク送信単位セットについての受信応答と、過去に前記ネットワークデバイスにより受信を不成功に終えられたＷｔ−１個の下りリンク送信単位セットについての受信応答と、
を含む、請求項３４に記載の指示方法。
【請求項３６】
過去に前記ネットワークデバイスにより受信を不成功に終えられた前記Ｗｔ−１個の下りリンク送信単位セットについての前記受信応答は、
前記下りリンク送信単位セットの前の１つ以上の下りリンク送信単位で前記ネットワークデバイスにより示された１つ以上の下りリンク送信単位セットについての、前記ネットワークデバイスにより受信を不成功に終えられた受信応答
を含まない、請求項３５に記載の指示方法。
【請求項３７】
当該方法は、
前記ネットワークデバイスにより、前記下りリンク送信単位セットに対応する上りリンク送信単位で、前記ＵＥにより送出された前記Ｗｔ個の下りリンク送信単位セットについての前記受信応答を受信するステップ、をさらに含み、
１つの下りリンク送信単位セットは１つの上りリンク送信単位に対応する、請求項３４乃至３６のうちいずれか１項に記載の指示方法。
【請求項３８】
前記ネットワークデバイスが、複数の連続した上りリンク送信単位のうちいずれか１つで１つ以上の下りリンク送信単位セットについての受信応答の受信を不成功に終えた場合、
前記複数の連続した上りリンク送信単位の各々で前記ネットワークデバイスにより受信される必要がある１つ以上の下りリンク送信単位セットについての受信応答は、受信を不成功に終えられた前記１つ以上の下りリンク送信単位セットについての前記受信応答である、請求項３４乃至３７のうちいずれか１項に記載の指示方法。
【請求項３９】
前記ネットワークデバイスは、前記下りリンク送信単位セットに含まれる前記１つ以上の下りリンク送信単位で前記ＵＥに前記下りリンク送信単位セットのインデックスをさらに送出し、
１つのインデックスは１つの下りリンク送信単位セットに対応する、請求項３４乃至３８のうちいずれか１項に記載の指示方法。
【請求項４０】
前記ネットワークデバイスにより、前記下りリンク送信単位セットに対応する上りリンク送信単位で、前記ＵＥにより送出された前記Ｗｔ個の下りリンク送信単位セットについての前記受信応答を受信するステップは、
前記ネットワークデバイスにより、前記インデックスに対応する上りリンク送信単位で、前記ＵＥにより送出された前記Ｗｔ個の下りリンク送信単位セットについての前記受信応答を受信するステップを含む、請求項３９に記載の指示方法。
【請求項４１】
前記数量Ｗｔを示す前記情報は、前記１つ以上の下りリンク送信単位で搬送される下りリンク制御情報ＤＣＩを使用することにより示される、請求項３４乃至４０のうちいずれか１項に記載の指示方法。
【請求項４２】
前記ＤＣＩは下りリンク割り当てインデックスＤＡＩを含み、前記ＤＡＩは、前記ネットワークデバイスがＷｕ個の下りリンク送信単位についての受信応答を受信する必要があることを示すために使用される、請求項４１に記載の指示方法。
【請求項４３】
当該方法は、
前記ネットワークデバイスにより、第１の下りリンク送信単位セットに含まれる１つ以上の下りリンク送信単位で数量Ｗｕを示す情報を送出するステップであり、Ｗｕは正の整数又は０である、ステップをさらに含み、
前記数量Ｗｕを示す前記情報は、前記ネットワークデバイスがＷｕ個の下りリンク送信単位についての受信応答を受信する必要があることを示すために使用される、請求項３４乃至４０のうちいずれか１項に記載の指示方法。
【請求項４４】
前記数量Ｗｕを示す前記情報は、前記１つ以上の下りリンク送信単位で搬送される下りリンク制御情報ＤＣＩ内のＤＡＩインデックスを使用することにより示される、請求項４３に記載の指示方法。
【請求項４５】
前記ＤＡＩ内のトータルＤＡＩが、前記ネットワークデバイスが前記Ｗｕ個の下りリンク送信単位についての前記受信応答を受信する必要があることを示すために使用される、請求項４２又は４４に記載の指示方法。
【請求項４６】
指示方法であって、
ネットワークデバイスにより、数量Ｗｕを示す情報を決定するステップであり、Ｗｕは正の整数又は０であり、
前記数量Ｗｕを示す前記情報は、前記ネットワークデバイスがＷｕ個の下りリンク送信単位についての受信応答を受信する必要があることを示すために使用される、ステップと、
前記ネットワークデバイスにより、ユーザ装置ＵＥに、下りリンク送信単位セットに含まれる１つ以上の下りリンク送信単位で前記数量Ｗｕを示す前記情報を送出するステップと、
を含む指示方法。
【請求項４７】
前記数量Ｗｕを示す前記情報は、前記１つ以上の下りリンク送信単位で搬送される下りリンク制御情報ＤＣＩ内のＤＡＩインデックスを使用することにより示される、請求項４６に記載の指示方法。
【請求項４８】
下りリンク送信単位セットについての受信応答は、前記下りリンク送信単位セットに含まれる１つ以上の下りリンク送信単位についての受信応答を含む、請求項１乃至４７のうちいずれか１項に記載の指示方法。
【請求項４９】
下りリンク送信単位が１つ以上のキャリアを含む場合、前記下りリンク送信単位セットについての前記受信応答は、前記下りリンク送信単位セットに含まれる前記１つ以上の下りリンク送信単位に含まれる１つ以上のキャリアについての受信応答を含む、請求項４８に記載の指示方法。
【請求項５０】
メモリと、プロセッサと、トランシーバと、を含む通信デバイスであって、
前記メモリは、命令を記憶するように構成され、
前記命令は、前記プロセッサ上で実行されて請求項１乃至４９のうちいずれか１つ以上に記載の指示方法を実行する、通信デバイス。
【請求項５１】
通信デバイスであって、請求項１乃至４９のうちいずれか１つ以上に記載の指示方法を実行するように構成される、通信デバイス。
【請求項５２】
命令を含むコンピュータ読取可能記憶媒体であって、前記命令がコンピュータ上で実行されたとき、前記コンピュータは請求項１乃至４９のうちいずれか１つ以上に記載の指示方法を実行可能にされる、コンピュータ読取可能記憶媒体。
【請求項５３】
命令を含むプログラムプロダクトであって、前記命令がコンピュータ上で実行されたとき、前記コンピュータは請求項１乃至４９のうちいずれか１つ以上に記載の指示方法を実行可能にされる、プログラムプロダクト。
【請求項５４】
少なくとも１つの回路を含むチップであって、前記回路は請求項１乃至４９のうちいずれか１つ以上に記載の指示方法を実行するように構成される、チップ。
【請求項５５】
プロセッサ及びメモリを含むチップであって、前記メモリは、前記プロセッサにより実行される命令を記憶し、前記命令は、コンピュータが請求項１乃至４９のうちいずれか１つ以上に記載の指示方法を実行することを可能にする、チップ。
【請求項５６】
プロセッサ及びトランシーバ／トランシーバピンを含むチップであって、前記プロセッサは、請求項１乃至４９のうちいずれか１つ以上に記載の指示方法を実行する、チップ。
【請求項５７】
プロセッサを含むチップであって、前記プロセッサが命令を実行したとき、コンピュータが請求項１乃至４９のうちいずれか１つ以上に記載の指示方法を実行することを可能にするように構成される、チップ。
【請求項５８】
通信装置であって、
下りリンク送信単位セットに含まれる１つ以上の下りリンク送信単位で、ネットワークデバイスにより送出されたビットマップを受信するように構成された受信ユニット、を含み、
前記ビットマップは、前記下りリンク送信単位セットに対応する上りリンク送信単位で１つ以上の下りリンク送信単位セットについての受信応答を送出するよう当該通信装置に指示するために使用される、通信装置。
【請求項５９】
前記ネットワークデバイスが最大Ｍ個の下りリンク送信単位セットをサポートする場合、Ｍが５８以上の正の整数である場合に、前記ビットマップにおけるビット数量はＭである、請求項５８に記載の通信装置。
【請求項６０】
前記ビットマップにおける１ビットは、当該通信装置が１つの下りリンク送信単位セットについての受信応答を送出するかどうかを示すために使用される、請求項５８又は５９に記載の通信装置。
【請求項６１】
当該通信装置は、
前記下りリンク送信単位セットのインデックスを取得するように構成された取得ユニットであり、１つのインデックスは１つの下りリンク送信単位セットに対応する、取得ユニット
をさらに含む請求項５８乃至６０のうちいずれか１項に記載の通信装置。
【請求項６２】
当該通信装置は、
前記下りリンク送信単位セットに対応する前記上りリンク送信単位で、前記ビットマップに示される前記１つ以上の下りリンク送信単位セットについての前記受信応答を送出するように構成された送出ユニット、
をさらに含む請求項５８乃至６１のうちいずれか１項に記載の通信装置。
【請求項６３】
当該通信装置は、前記上りリンク送信単位がアイドルかどうかを監視するように構成された監視ユニット、をさらに含み、
前記受信ユニットは、前記上りリンク送信単位がアイドルである場合、当該通信装置が、前記下りリンク送信単位セットに対応する前記上りリンク送信単位で、前記ビットマップに示される前記１つ以上の下りリンク送信単位セットについての前記受信応答を送出するように具体的に構成される、
請求項５８乃至６２のうちいずれか１項に記載の通信装置。
【請求項６４】
通信装置であって、
ビットマップを決定するように構成された処理ユニットであり、前記ビットマップは、当該通信装置が１つ以上の下りリンク送信単位セットについての受信応答を受信する必要があることを示すために使用される、処理ユニットと、
下りリンク送信単位セットに含まれる１つ以上の第１の下りリンク送信単位でユーザ装置ＵＥに前記ビットマップを送出するように構成された送出ユニットと、
を含む通信装置。
【請求項６５】
受信される必要がある前記１つ以上の下りリンク送信単位セットについての前記受信応答は、
現在の下りリンク送信単位が属する下りリンク送信単位セットについての受信応答と、
過去に当該通信装置により受信を不成功に終えられた１つ以上の下りリンク送信単位セットについての受信応答と、
を含む、請求項６４に記載の通信装置。
【請求項６６】
過去に当該通信装置により受信を不成功に終えられた前記１つ以上の下りリンク送信単位セットについての前記受信応答は、
前記下りリンク送信単位セットの前の１つ以上の下りリンク送信単位でビットマップにおいて当該通信装置により示された１つ以上の下りリンク送信単位セットについての、当該通信装置により受信を不成功に終えられた受信応答
を含まない、請求項６５に記載の通信装置。
【請求項６７】
当該通信装置が最大Ｍ個の下りリンク送信単位セットをサポートする場合、Ｍが１以上の正の整数である場合に、前記ビットマップにおけるビット数量はＭである、
請求項６４乃至６６のうちいずれか１項に記載の通信装置。
【請求項６８】
前記ビットマップにおける１ビットは、１つの下りリンク送信単位セットを示すために使用される、請求項６４乃至６７のうちいずれか１項に記載の通信装置。
【請求項６９】
前記送出ユニットは、前記下りリンク送信単位セットに含まれる前記１つ以上の下りリンク送信単位で前記ＵＥに前記下りリンク送信単位セットのインデックスを送出し、
１つのインデックスは１つの下りリンク送信単位セットに対応する、
請求項６４乃至６８のうちいずれか１項に記載の通信装置。
【請求項７０】
当該通信装置は、
前記下りリンク送信単位セットに対応する上りリンク送信単位で前記１つ以上の下りリンク送信単位セットについての前記受信応答を受信するように構成された受信ユニット
をさらに含む請求項６４乃至６９のうちいずれか１項に記載の通信装置。
【請求項７１】
当該通信装置は、
当該通信装置が前記１つ以上の下りリンク送信単位セットについての前記受信応答を成功裏に受信した場合、当該通信装置が、前記１つ以上の下りリンク送信単位セットの１つ又は複数のインデックスから前記１つ以上の下りリンク送信単位セットを結び付け解除すること
をさらに含む請求項７０に記載の通信装置。
【請求項７２】
通信装置であって、
数量Ｗｕを示す情報を決定するように構成された処理ユニットであり、Ｗｕは正の整数又は０であり、
前記数量Ｗｕを示す前記情報は、当該通信装置がＷｕ個の下りリンク送信単位についての受信応答を受信する必要があることを示すために使用される、処理ユニットと、
ユーザ装置ＵＥに、下りリンク送信単位セットに含まれる１つ以上の下りリンク送信単位で前記数量Ｗｕを示す前記情報を送出するように構成された送出ユニットと、
を含む通信装置。
【請求項７３】
前記数量Ｗｕを示す前記情報は、前記１つ以上の下りリンク送信単位で搬送される下りリンク制御情報ＤＣＩ内のＤＡＩインデックスを使用することにより示される、請求項７２に記載の通信装置。
【請求項７４】
通信装置であって、
第１の下りリンク送信単位セットに含まれる１つ以上の下りリンク送信単位で、ネットワークデバイスにより送出されかつ数量Ｗｔを示す情報を受信するように構成された受信ユニットであり、Ｗｔは正の整数又は０である、受信ユニット、を含み、
前記数量Ｗｔを示す前記情報は、前記第１の下りリンク送信単位セットに対応する上りリンク送信単位でＷｔ個の下りリンク送信単位セットについての受信応答を送出するよう当該通信装置に指示するために使用される、通信装置。
【請求項７５】
当該通信装置は、
前記第１の下りリンク送信単位セットに対応する前記上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するように構成された送出ユニット
をさらに含む請求項７４に記載の通信装置。
【請求項７６】
前記第１の下りリンク送信単位セットが少なくとも２つの下りリンク送信単位を含む場合、
前記送出ユニットは、前記第１の下りリンク送信単位セットに対応する前記上りリンク送信単位で、前記数量Ｗｔを示しかつ前記第１の下りリンク送信単位セットに含まれる最後の下りリンク送信単位で受信された前記情報に基づいて前記Ｗｔ個の下りリンク送信単位セットについての前記受信応答を送出するように具体的に構成される、
請求項７５に記載の通信装置。
【請求項７７】
Ｗｔが１に等しい場合、前記Ｗｔ個の下りリンク送信単位セットは前記第１の下りリンク送信単位セットである、請求項７４乃至７６のうちいずれか１項に記載の通信装置。
【請求項７８】
Ｗｔが２以上であり、前記第１の下りリンク送信単位セット内の全ての下りリンク送信単位上のＷｔが同じ場合、前記Ｗｔ個の下りリンク送信単位セットについての前記受信応答は、第１のセットについての受信応答と第３のセットについての受信応答を含み、
前記第１のセットについての前記受信応答は、前記第１の下りリンク送信単位セットについての受信応答を含み、
前記第３のセットについての前記受信応答は、Ｗｔ−１個の下りリンク送信単位セットについての受信応答を含み、
前記Ｗｔ−１個の下りリンク送信単位セットについての前記受信応答は、前記ネットワークデバイスが前記第１の下りリンク送信単位セットの前のＥ個の上りリンク送信単位で送出するよう当該通信装置に指示した、前記Ｗｔ−１個の下りリンク送信単位セットについての応答を含み、ＥはＷｔ−１以下である、
請求項７４乃至７７のうちいずれか１項に記載の通信装置。
【請求項７９】
Ｗｔが２以上であり、前記第１の下りリンク送信単位セット内の全ての下りリンク送信単位上のＷｔがＢ回変わる場合、前記Ｗｔ個の下りリンク送信単位セットについての前記受信応答は、第１のセットについての受信応答、第２のセットについての受信応答、及び第３のセットについての受信応答を含み、
前記第１のセットについての前記受信応答は、前記第１の下りリンク送信単位セットについての受信応答を含み、
前記第２のセットについての前記受信応答は、Ａ個の下りリンク送信単位セットについての受信応答を含み、前記Ａ個の下りリンク送信単位セットについての前記受信応答は、前記ネットワークデバイスが前記Ｂ個の変更の各々の後に存在する最初の下りリンク送信単位の前の上りリンク送信単位で送出するよう当該通信装置に指示した、Ｃ個の下りリンク送信単位セットについての受信応答を含み、Ａ、Ｂ、及びＣは１以上の整数であり、ＢはＡ以下であり、ＣはＡ以下であり、
前記第３のセットは、Ｄ個の下りリンク送信単位セットについての受信応答を含み、前記Ｄ個の下りリンク送信単位セットについての前記受信応答は、前記ネットワークデバイスが前記第１の下りリンク送信単位セットの前のＥ個の上りリンク送信単位で送出するよう当該通信装置に指示した、前記Ｄ個の下りリンク送信単位セットについての受信応答を含み、Ｅ及びＤは０以上の整数であり、ＥはＤ以下であり、前記Ｄ個の下りリンク送信単位セットは、前記第１のセット又は前記第２のセットに含まれる下りリンク送信単位セットを含まず、
Ａ＋Ｄ＋１＝Ｗｔである、
請求項７４乃至７７のうちいずれか１項に記載の通信装置。
【請求項８０】
当該通信装置は、指示オフセットＫに関する情報を取得するように構成された取得ユニットであり、Ｋは０以上の正の整数である、取得ユニットをさらに含み、
前記第１の下りリンク送信単位セットの前の前記Ｅ個の上りリンク送信単位は、前記第１の下りリンク送信単位セットをＫ個の送信単位だけ前方にオフセットすることにより得られる下りリンク送信単位の前のＥ個の上りリンク送信単位を含む、
請求項７８又は７９のうちいずれか１項に記載の通信装置。
【請求項８１】
当該通信装置は、指示オフセットＫに関する情報を取得するように構成された取得ユニットであり、Ｋは０以上の正の整数である、取得ユニットをさらに含み、
各変更の後に存在する前記最初の下りリンク送信単位の前の前記上りリンク送信単位は、各変更の後に存在する前記最初の下りリンク送信単位をＫ個の送信単位だけ前方にオフセットすることにより得られる下りリンク送信単位の前の上りリンク送信単位を含む、
請求項７９に記載の通信装置。
【請求項８２】
前記取得ユニットは、インデックスを取得するように構成され、１つのインデックスは１つの下りリンク送信単位セットに対応する、請求項７４乃至８１のうちいずれか１項に記載の通信装置。
【請求項８３】
前記送出ユニットは、前記インデックスに対応する上りリンク送信単位で、前記数量Ｗｔを示しかつ前記１つ以上の下りリンク送信単位で受信された前記情報に基づいて前記Ｗｔ個の下りリンク送信単位セットについての前記受信応答を送出するように具体的に構成される、請求項８２に記載の通信装置。
【請求項８４】
当該通信装置は、前記上りリンク送信単位がアイドルかどうかを監視するように構成された監視ユニット、をさらに含み、
前記送出ユニットは、前記上りリンク送信単位がアイドルである場合、前記ＵＥが、前記第１の下りリンク送信単位セットに対応する前記上りリンク送信単位で、前記数量Ｗｔを示しかつ前記１つ以上の下りリンク送信単位で受信された前記情報に基づいて前記受信応答を送出するようにさらに構成される、請求項７４乃至８３のうちいずれか１項に記載の通信装置。
【請求項８５】
前記数量Ｗｔを示す前記情報は、前記１つ以上の下りリンク送信単位で搬送される下りリンク制御情報ＤＣＩを使用することにより示される、請求項７４乃至８４のうちいずれか１項に記載の通信装置。
【請求項８６】
前記ＤＣＩは下りリンク割り当てインデックスＤＡＩを含み、前記ＤＡＩは、前記第１の下りリンク送信単位セットに対応する前記上りリンク送信単位でＷｕ個の下りリンク送信単位についての受信応答を送出するよう当該通信装置に指示するために使用される、請求項８５に記載の通信装置。
【請求項８７】
当該通信装置は、
前記受信ユニットは、前記第１の下りリンク送信単位セットに含まれる前記１つ以上の下りリンク送信単位で、前記ネットワークデバイスにより送出されかつ数量Ｗｕを示す情報を受信するようにさらに構成され、Ｗｕは正の整数又は０であり、
前記数量Ｗｕを示す前記情報は、前記第１の下りリンク送信単位セットに対応する前記上りリンク送信単位でＷｕ個の下りリンク送信単位についての受信応答を送出するよう当該通信装置に指示するために使用される、
請求項７４乃至８４のうちいずれか１項に記載の通信装置。
【請求項８８】
前記数量Ｗｕを示す前記情報は、前記１つ以上の下りリンク送信単位で搬送される下りリンク制御情報ＤＣＩ内のＤＡＩインデックスを使用することにより示される、請求項８７に記載の通信装置。
【請求項８９】
前記ＤＡＩ内のトータルＤＡＩが、前記第１の下りリンク送信単位セットに対応する前記上りリンク送信単位で前記Ｗｕ個の下りリンク送信単位についての前記受信応答を送出するよう当該通信装置に指示するために使用される、請求項８６又は８８に記載の通信装置。
【請求項９０】
通信装置であって、
第１の下りリンク送信単位セットに含まれる１つ以上の下りリンク送信単位で、ネットワークデバイスにより送出されかつ数量Ｗｕを示す情報を受信するように構成された受信ユニットであり、Ｗｕは正の整数又は０である、受信ユニットを含み、
前記数量Ｗｕを示す前記情報は、前記第１の下りリンク送信単位セットに対応する上りリンク送信単位でＷｕ個の下りリンク送信単位についての受信応答を送出するよう当該通信装置に指示するために使用される、通信装置。
【請求項９１】
前記送出ユニットは、前記第１の下りリンク送信単位セットに対応する前記上りリンク送信単位で、前記数量Ｗｕを示しかつ前記１つ以上の下りリンク送信単位で受信された前記情報に基づいて前記Ｗｕ個の下りリンク送信単位についての受信応答を送出するように構成される、請求項９０に記載の通信装置。
【請求項９２】
前記数量Ｗｕを示す前記情報は、前記１つ以上の下りリンク送信単位で搬送される下りリンク制御情報ＤＣＩ内のＤＡＩインデックスを使用することにより示される、請求項９１に記載の通信装置。
【請求項９３】
通信装置であって、
数量Ｗｔを示す情報を決定するように構成された処理ユニットであり、Ｗｔは１以上の正の整数であり、
前記数量Ｗｔを示す前記情報は、当該通信装置がＷｔ個の下りリンク送信単位セットについての受信応答を受信する必要があることを示すために使用される、処理ユニットと、
ユーザ装置ＵＥに、下りリンク送信単位セットに含まれる１つ以上の下りリンク送信単位で前記数量Ｗｔを示す前記情報を送出するように構成された送出ユニットと、
を含む通信装置。
【請求項９４】
受信される必要がある前記Ｗｔ個の下りリンク送信単位セットについての前記受信応答は、
現在の下りリンク送信単位が属する下りリンク送信単位セットについての受信応答と、過去に当該通信装置により受信を不成功に終えられたＷｔ−１個の下りリンク送信単位セットについての受信応答と、
を含む、請求項９３に記載の通信装置。
【請求項９５】
過去に当該通信装置により受信を不成功に終えられた前記Ｗｔ−１個の下りリンク送信単位セットについての前記受信応答は、
前記下りリンク送信単位セットの前の１つ以上の下りリンク送信単位で当該通信装置により示された１つ以上の下りリンク送信単位セットについての、前記ネットワークデバイスにより受信を不成功に終えられた受信応答
を含まない、請求項９４に記載の通信装置。
【請求項９６】
前記送出ユニットは、前記下りリンク送信単位セットに対応する上りリンク送信単位で、前記ＵＥにより送出された前記Ｗｔ個の下りリンク送信単位セットについての前記受信応答を受信するようにさらに構成され、
１つの下りリンク送信単位セットは１つの上りリンク送信単位に対応する、請求項９３乃至９５のうちいずれか１項に記載の通信装置。
【請求項９７】
当該通信装置が、複数の連続した上りリンク送信単位のうちいずれか１つで１つ以上の下りリンク送信単位セットについての受信応答の受信を不成功に終えた場合、
前記複数の連続した上りリンク送信単位の各々で当該通信装置により受信される必要がある１つ以上の下りリンク送信単位セットについての受信応答は、受信を不成功に終えられた前記１つ以上の下りリンク送信単位セットについての前記受信応答である、請求項９３乃至９６のうちいずれか１項に記載の通信装置。
【請求項９８】
前記送出ユニットは、前記下りリンク送信単位セットに含まれる前記１つ以上の下りリンク送信単位で前記ＵＥに前記下りリンク送信単位セットのインデックスを送出するようにさらに構成され、
１つのインデックスは１つの下りリンク送信単位セットに対応する、請求項９３乃至９７のうちいずれか１項に記載の通信装置。
【請求項９９】
前記受信ユニットは、前記インデックスに対応する上りリンク送信単位で、前記ＵＥにより送出された前記Ｗｔ個の下りリンク送信単位セットについての前記受信応答を受信するように具体的に構成される、請求項９８に記載の通信装置。
【請求項１００】
前記数量Ｗｔを示す前記情報は、前記１つ以上の下りリンク送信単位で搬送される下りリンク制御情報ＤＣＩを使用することにより示される、請求項９３乃至９９のうちいずれか１項に記載の通信装置。
【請求項１０１】
前記ＤＣＩは下りリンク割り当てインデックスＤＡＩを含み、前記ＤＡＩは、当該通信装置がＷｕ個の下りリンク送信単位についての受信応答を受信する必要があることを示すために使用される、請求項１００に記載の通信装置。
【請求項１０２】
前記送出ユニットは、第１の下りリンク送信単位セットに含まれる１つ以上の下りリンク送信単位で数量Ｗｕを示す情報を送出するようにさらに構成され、Ｗｕは正の整数又は０であり、
前記数量Ｗｕを示す前記情報は、前記ネットワークデバイスがＷｕ個の下りリンク送信単位についての受信応答を受信する必要があることを示すために使用される、請求項９３乃至９９のうちいずれか１項に記載の通信装置。
【請求項１０３】
前記数量Ｗｕを示す前記情報は、前記１つ以上の下りリンク送信単位で搬送される下りリンク制御情報ＤＣＩ内のＤＡＩインデックスを使用することにより示される、請求項１０２に記載の通信装置。
【請求項１０４】
前記ＤＡＩ内のトータルＤＡＩが、当該通信装置が前記Ｗｕ個の下りリンク送信単位についての前記受信応答を受信する必要があることを示すために使用される、請求項１０１又は１０３に記載の通信装置。
【請求項１０５】
下りリンク送信単位セットについての受信応答は、前記下りリンク送信単位セットに含まれる１つ以上の下りリンク送信単位についての受信応答を含む、請求項５８乃至１０４のうちいずれか１項に記載の通信装置。
【請求項１０６】
下りリンク送信単位が１つ以上のキャリアを含む場合、前記下りリンク送信単位セットについての前記受信応答は、前記下りリンク送信単位セットに含まれる前記１つ以上の下りリンク送信単位に含まれる１つ以上のキャリアについての受信応答を含む、請求項１０５に記載の通信装置。
【発明の詳細な説明】
【技術分野】
【０００１】
本出願は通信分野に関し、より具体的には指示方法、ネットワークデバイス、及びユーザ装置に関する。
【背景技術】
【０００２】
セルラ通信システムにおいて、信号送信は、無線チャネルの時変特性、信号送信におけるマルチパスフェージングの影響、及び何らかの予測不可能な干渉に起因して失敗する可能性がある。したがって、ハイブリッド自動再送要求（ＨＡＲＱ、Hybrid  Automatic  Repeat  reQuest）メカニズム又は自動再送要求（ＡＲＱ、Automatic  Repeat-reQuest）メカニズムなどの指示方法が通常使用され、エラー制御を実現することがある。データが受信端に到着したとき、受信端はデータに対して誤り検出を行い、データが正しく受信された場合には肯定応答（Acknowledgement、ＡＣＫ）を返し、あるいはデータが誤って受信された場合には否定応答（Negative  Acknowledgment、ＮＡＣＫ）を返す。しかしながら、前述のチャネル関連要因、信号関連要因、予測不可能な干渉等が送信失敗を引き起こすため、受信端により送出されるＡＣＫ又はＷｔＡＣＫを送信端により受信できず、その後の送信に影響を与える。現在、この問題を解決するために利用可能な解決策はない。
【発明の概要】
【０００３】
本出願は、指示方法、ネットワークデバイス、及びユーザ装置を提供する。ネットワークデバイスは、１つ以上の下りリンク送信単位で搬送される指示情報（これらに限られないがビットマップ、数量Ｗｔを示す情報、及びインデックスを示す情報を含む）を使用することにより、ネットワークデバイスにより受信される必要がある１つ以上の下りリンク送信単位セットについての受信応答、すなわち、ＵＥによりネットワークデバイスに送出される必要がある１つ以上の下りリンク送信単位セットについての受信応答を明示的又は暗黙的に示し、それにより、ＵＥは、ネットワークデバイスが送出するようにＵＥに指示した、下りリンク送信単位セットについての受信応答を、正しい上りリンク送信単位で正しく送出することができる。このようにして、エラー及び不要な再送信が低減され、サービス品質が確保され、通信効率が改善される。特に、アンライセンスのリッスンビフォアトーク上りリンク送信単位（チャネル）上で、通信システム全体の誤り率をさらに低減でき、通信品質及び効率を改善できる。
【０００４】
第１の態様によれば、指示方法が提供され、当該指示方法は、ユーザ装置ＵＥにより、下りリンク送信単位セットに含まれる１つ以上の下りリンク送信単位で、ネットワークデバイスにより送出されたビットマップを受信するステップ、を含み、ビットマップは、下りリンク送信単位セットに対応する上りリンク送信単位で１つ以上の下りリンク送信単位セットについての受信応答を送出するようＵＥに指示するために使用される。
【０００５】
第１の態様を参照し、第１の態様の可能な一実装において、１つの下りリンク送信単位セットは１つの上りリンク送信単位に対応する。
【０００６】
第１の態様及び前述の可能な実装のいずれか１つ以上を参照し、別の可能な実装において、ネットワークデバイスが最大Ｍ個の下りリンク送信単位セットをサポートする場合、Ｍが１以上の正の整数である場合に、ビットマップにおけるビット数量はＭである。
【０００７】
第１の態様及び前述の可能な実装のいずれか１つ以上を参照し、別の可能な実装において、ビットマップにおける１ビットは、ＵＥが１つの下りリンク送信単位セットについての受信応答を送出するかどうかを示すために使用される。
【０００８】
第１の態様及び前述の可能な実装のいずれか１つ以上を参照し、別の可能な実装において、当該指示方法は、ＵＥにより、下りリンク送信単位セットのインデックスを取得するステップであり、１つのインデックスは１つの下りリンク送信単位セットに対応する、ステップをさらに含む。
【０００９】
第１の態様及び前述の可能な実装のいずれか１つ以上を参照し、別の可能な実装において、当該指示方法は、ＵＥにより、下りリンク送信単位セットに対応する上りリンク送信単位で、ビットマップに示される１つ以上の下りリンク送信単位セットについての受信応答を送出するステップをさらに含む。
【００１０】
第１の態様及び前述の可能な実装のいずれか１つ以上を参照し、別の可能な実装において、当該指示方法は、ＵＥにより、上りリンク送信単位がアイドルかどうかを監視するステップ、をさらに含み、ＵＥにより、下りリンク送信単位セットに対応する上りリンク送信単位で、ビットマップに示される１つ以上の下りリンク送信単位セットについての受信応答を送出するステップは、上りリンク送信単位がアイドルである場合、ＵＥにより、下りリンク送信単位セットに対応する上りリンク送信単位で、ビットマップに示される１つ以上の下りリンク送信単位セットについての受信応答を送出するステップを含む。
【００１１】
第２の態様によれば、指示方法が提供され、当該指示方法は、ネットワークデバイスにより、ビットマップを決定するステップであり、ビットマップは、ネットワークデバイスが１つ以上の下りリンク送信単位セットについての受信応答を受信する必要があることを示すために使用される、ステップと、ネットワークデバイスにより、下りリンク送信単位セットに含まれる１つ以上の第１の下りリンク送信単位でユーザ装置ＵＥにビットマップを送出するステップと、を含む。
【００１２】
第２の態様を参照し、第２の態様の可能な一実装において、受信される必要がある１つ以上の下りリンク送信単位セットについての受信応答は、現在の下りリンク送信単位が属する下りリンク送信単位セットについての受信応答と、過去にネットワークデバイスにより受信を不成功に終えられた１つ以上の下りリンク送信単位セットについての受信応答と、を含む。
【００１３】
第２の態様及び前述の可能な実装のいずれか１つ以上を参照し、別の可能な実装において、過去にネットワークデバイスにより受信を不成功に終えられた１つ以上の下りリンク送信単位セットについての受信応答は、下りリンク送信単位セットの前の１つ以上の下りリンク送信単位でビットマップにおいてネットワークデバイスにより示された１つ以上の下りリンク送信単位セットについての、ネットワークデバイスにより受信を不成功に終えられた受信応答を含まない。
【００１４】
第２の態様及び前述の可能な実装のいずれか１つ以上を参照し、別の可能な実装において、ネットワークデバイスが最大Ｍ個の下りリンク送信単位セットをサポートする場合、Ｍが１以上の正の整数である場合に、ビットマップにおけるビット数量はＭである。
【００１５】
第２の態様及び前述の可能な実装のいずれか１つ以上を参照し、別の可能な実装において、ビットマップにおける１ビットは、１つの下りリンク送信単位セットを示すために使用される。
【００１６】
第２の態様及び前述の可能な実装のいずれか１つ以上を参照し、別の可能な実装において、ネットワークデバイスは、下りリンク送信単位セットに含まれる１つ以上の下りリンク送信単位でＵＥに下りリンク送信単位セットのインデックスをさらに送出し、１つのインデックスは１つの下りリンク送信単位セットに対応する。
【００１７】
第２の態様及び前述の可能な実装のいずれか１つ以上を参照し、別の可能な実装において、ネットワークデバイスは、下りリンク送信単位セットに対応する上りリンク送信単位で１つ以上の下りリンク送信単位セットについての受信応答を受信する。
【００１８】
第２の態様及び前述の可能な実装のいずれか１つ以上を参照し、別の可能な実装において、ネットワークデバイスにより、下りリンク送信単位セットに対応する上りリンク送信単位で１つ以上の下りリンク送信単位セットについての受信応答を受信した後、当該指示方法は、ネットワークデバイスが１つ以上の下りリンク送信単位セットについての受信応答を成功裏に受信した場合、ネットワークデバイスにより、１つ以上の下りリンク送信単位セットの１つ又は複数のインデックスから１つ以上の下りリンク送信単位セットを結び付け解除するステップをさらに含む。
【００１９】
第２の態様及び前述の可能な実装のいずれか１つ以上を参照し、別の可能な実装において、数量Ｗｔを示す情報は、１つ以上の下りリンク送信単位で搬送される下りリンク制御情報ＤＣＩを使用することにより示される。
【００２０】
第２の態様及び前述の可能な実装のいずれか１つ以上を参照し、別の可能な実装において、ＤＣＩは下りリンク割り当てインデックスＤＡＩを含み、ＤＡＩは、第１の下りリンク送信単位セットに対応する上りリンク送信単位でＷｕ個の下りリンク送信単位についての受信応答を送出するようＵＥに指示するために使用される。
【００２１】
第２の態様及び前述の可能な実装のいずれか１つ以上を参照し、別の可能な実装において、当該方法は、ＵＥにより、第１の下りリンク送信単位セットに含まれる１つ以上の下りリンク送信単位で、ネットワークデバイスにより送出されかつ数量Ｗｕを示す情報を受信するステップであり、Ｗｕは正の整数又は０である、ステップをさらに含み、数量Ｗｕを示す情報は、第１の下りリンク送信単位セットに対応する上りリンク送信単位でＷｕ個の下りリンク送信単位についての受信応答を送出するようＵＥに指示するために使用される。
【００２２】
第２の態様及び前述の可能な実装のいずれか１つ以上を参照し、別の可能な実装において、数量Ｗｕを示す情報は、１つ以上の下りリンク送信単位で搬送される下りリンク制御情報ＤＣＩ内のＤＡＩインデックスを使用することにより示される。
【００２３】
第２の態様及び前述の可能な実装のいずれか１つ以上を参照し、別の可能な実装において、ＤＡＩ内のトータルＤＡＩが、第１の下りリンク送信単位セットに対応する上りリンク送信単位でＷｕ個の下りリンク送信単位についての受信応答を送出するようＵＥに指示するために使用される。
【００２４】
第３の態様によれば、指示方法が提供され、当該指示方法は、ユーザ装置ＵＥにより、第１の下りリンク送信単位セットに含まれる１つ以上の下りリンク送信単位で、ネットワークデバイスにより送出されかつ数量Ｗｔを示す情報を受信するステップであり、Ｗｔは１以上の正の整数である、ステップ、を含み、数量Ｗｔを示す情報は、第１の下りリンク送信単位セットに対応する上りリンク送信単位でＷｔ個の下りリンク送信単位セットについての受信応答を送出するようＵＥに指示するために使用される。
【００２５】
第３の態様を参照し、第３の態様の可能な一実装において、１つの下りリンク送信単位セットは１つの上りリンク送信単位に対応する。
【００２６】
第３の態様及び前述の可能な実装のいずれか１つ以上を参照し、別の可能な実装において、Ｗｔが１に等しい場合、Ｗｔ個の下りリンク送信単位セットは第１の下りリンク送信単位セットである。
【００２７】
第３の態様及び前述の可能な実装のいずれか１つ以上を参照し、別の可能な実装において、ＵＥは、第１の下りリンク送信単位セットに対応する上りリンク送信単位で、数量Ｗｔを示しかつ１つ以上の下りリンク送信単位で受信された情報に基づいてＷｔ個の下りリンク送信単位セットについての受信応答を送出する。
【００２８】
第３の態様及び前述の可能な実装のいずれか１つ以上を参照し、別の可能な実装において、第１の下りリンク送信単位セットが少なくとも２つの下りリンク送信単位を含む場合、ＵＥにより、第１の下りリンク送信単位セットに対応する上りリンク送信単位で、数量Ｗｔを示しかつ１つ以上の下りリンク送信単位で受信された情報に基づいてＷｔ個の下りリンク送信単位セットについての受信応答を送出するステップは、ＵＥにより、第１の下りリンク送信単位セットに対応する上りリンク送信単位で、数量Ｗｔを示しかつ第１の下りリンク送信単位セットに含まれる最後の下りリンク送信単位で受信された情報に基づいてＷｔ個の下りリンク送信単位セットについての受信応答を送出するステップを含む。
【００２９】
第３の態様及び前述の可能な実装のいずれか１つ以上を参照し、別の可能な実装において、Ｗｔが２以上であり、第１の下りリンク送信単位セット内の全ての下りリンク送信単位上のＷｔが同じ場合、Ｗｔ個の下りリンク送信単位セットについての受信応答は、第１のセットについての受信応答と第３のセットについての受信応答を含み、第１のセットについての受信応答は、第１の下りリンク送信単位セットについての受信応答を含み、第３のセットについての受信応答は、Ｗｔ−１個の下りリンク送信単位セットについての受信応答を含み、Ｗｔ−１個の下りリンク送信単位セットについての受信応答は、ネットワークデバイスがＥ個の上りリンク送信単位で送出するようＵＥに指示した、Ｗｔ−１個の下りリンク送信単位セットについての応答を含み、Ｅ個の上りリンク送信単位は第１の下りリンク送信単位セットの前に位置し、ＥはＷｔ−１以下である。
【００３０】
第３の態様及び前述の可能な実装のいずれか１つ以上を参照し、別の可能な実装において、Ｗｔが２以上であり、第１の下りリンク送信単位セット内のＷｔがＢ回変わる場合、Ｗｔ個の下りリンク送信単位セットについての受信応答は、第１のセットについての受信応答、第２のセットについての受信応答、及び第３のセットについての受信応答を含み、第１のセットについての受信応答は、第１の下りリンク送信単位セットについての受信応答を含み、第２のセットについての受信応答は、Ａ個の下りリンク送信単位セットについての受信応答を含み、Ａ個の下りリンク送信単位セットについての受信応答は、ネットワークデバイスがＢ個の変更の各々の後に存在する最初の下りリンク送信単位の前の上りリンク送信単位で送出するようＵＥに指示した、Ｃ個の下りリンク送信単位セットについての受信応答を含み、Ａ、Ｂ、及びＣは１以上の整数であり、ＢはＡ以下であり、ＣはＡ以下であり、第３のセットは、Ｄ個の下りリンク送信単位セットについての受信応答を含み、Ｄ個の下りリンク送信単位セットについての受信応答は、ネットワークデバイスがＥ個の上りリンク送信単位で送出するようＵＥに指示した、Ｄ個の下りリンク送信単位セットについての受信応答を含み、Ｅ及びＤは０以上の整数であり、ＥはＤ以下であり、Ｄ個の下りリンク送信単位セットは、第１のセット又は第２のセットに含まれる下りリンク送信単位セットを含まず、Ｅ個の上りリンク送信単位は第１の下りリンク送信単位セットの前に位置し、Ａ＋Ｄ＋１＝Ｗｔである。
【００３１】
第３の態様及び前述の可能な実装のいずれか１つ以上を参照し、別の可能な実装において、Ｂ個の変更の各々の後に存在する最初の下りリンク送信単位の前の上りリンク送信単位は、Ｂ個の変更の各々の後に存在する最初の下りリンク送信単位の直前の上りリンク送信単位を具体的に含む。
【００３２】
第３の態様及び前述の可能な実装のいずれか１つ以上を参照し、別の可能な実装において、Ｅ個の上りリンク送信単位は時間により決定される。
【００３３】
第３の態様及び前述の可能な実装のいずれか１つ以上を参照し、別の可能な実装において、Ｅ個の上りリンク送信単位は逆時系列順で決定される。
【００３４】
第３の態様及び前述の可能な実装のいずれか１つ以上を参照し、別の可能な実装において、Ａ＝ΣｉＣｉ、ｉ＝１，．．．，Ｂであり、Ｃｉは、Ｂ個の変更のうち第ｉの変更の後に存在する最初の下りリンク送信単位の前の上りリンク送信単位で送出された、Ｃｉ個の下りリンク送信単位セットについての受信応答である。
【００３５】
第３の態様及び前述の可能な実装のいずれか１つ以上を参照し、別の可能な実装において、当該指示方法は、ＵＥにより、指示オフセットＫに関する情報を取得するステップであり、Ｋは０以上の正の整数である、ステップをさらに含み、Ｅ個の上りリンク送信単位が第１の下りリンク送信単位セットの前に位置することは、Ｅ個の上りリンク送信単位が、第１の下りリンク送信単位セットに含まれる最初の下りリンク送信単位をＫ個の送信単位だけ前方にオフセットすることにより得られる下りリンク送信単位の前に位置することを含む。
【００３６】
第３の態様及び前述の可能な実装のいずれか１つ以上を参照し、別の可能な実装において、ＵＥは、ネットワークデバイスの指示遅延Ｊを示す情報を取得し、Ｊは、０以上の正の整数である。Ｊが１以上である場合、第１の下りリンク送信単位セットの前のＥ個の上りリンク送信単位は、第１の下りリンク送信単位セットをＪ−１個の送信単位だけ前方にオフセットすることにより得られる下りリンク送信単位の前のＥ個の上りリンク送信単位を含む。
【００３７】
第３の態様及び前述の可能な実装のいずれか１つ以上を参照し、別の可能な実装において、当該指示方法は、ＵＥにより、指示オフセットＫに関する情報を取得するステップであり、Ｋは０以上の正の整数である、ステップをさらに含み、各変更の後に存在する最初の下りリンク送信単位の前の上りリンク送信単位は、各変更の後に存在する最初の下りリンク送信単位をＫ個の送信単位だけ前方にオフセットすることにより得られる下りリンク送信単位の前の上りリンク送信単位を含む。
【００３８】
第３の態様及び前述の可能な実装のいずれか１つ以上を参照し、別の可能な実装において、ＵＥは、ネットワークデバイスの指示遅延Ｊを示す情報を取得し、Ｊは、０以上の正の整数である。各変更の後に存在する最初の下りリンク送信単位の前の上りリンク送信単位は、各変更の後に存在する最初の下りリンク送信単位をＪ−１個の送信単位だけ前方にオフセットすることにより得られる下りリンク送信単位の前の上りリンク送信単位を含む。
【００３９】
第３の態様及び前述の可能な実装のいずれか１つ以上を参照し、別の可能な実装において、Ｋ＋１＝Ｊである。
【００４０】
第３の態様及び前述の可能な実装のいずれか１つ以上を参照し、別の可能な実装において、ＵＥはインデックスを取得し、１つのインデックスは１つの下りリンク送信単位セットに対応する。
【００４１】
第３の態様及び前述の可能な実装のいずれか１つ以上を参照し、別の可能な実装において、ＵＥにより、第１の下りリンク送信単位セットに対応する上りリンク送信単位で、数量Ｗｔを示しかつ１つ以上の下りリンク送信単位で受信された情報に基づいてＷｔ個の下りリンク送信単位セットについての受信応答を送出するステップは、ＵＥにより、インデックスに対応する上りリンク送信単位で、数量Ｗｔを示しかつ１つ以上の下りリンク送信単位で受信された情報に基づいてＷｔ個の下りリンク送信単位セットについての受信応答を送出するステップを含む。
【００４２】
第３の態様及び前述の可能な実装のいずれか１つ以上を参照し、別の可能な実装において、ＵＥにより、上りリンク送信単位がアイドルかどうかを監視するステップ、をさらに含み、ＵＥにより、第１の下りリンク送信単位セットに対応する上りリンク送信単位で、数量Ｗｔを示しかつ１つ以上の下りリンク送信単位で受信された情報に基づいて受信応答を送出するステップは、上りリンク送信単位がアイドルである場合、ＵＥにより、第１の下りリンク送信単位セットに対応する上りリンク送信単位で、数量Ｗｔを示しかつ１つ以上の下りリンク送信単位で受信された情報に基づいて受信応答を送出するステップを含む。
【００４３】
第３の態様及び前述の可能な実装のいずれか１つ以上を参照し、別の可能な実装において、数量Ｗｔを示す情報は、１つ以上の下りリンク送信単位で搬送される下りリンク制御情報ＤＣＩを使用することにより示される。
【００４４】
第３の態様及び前述の可能な実装のいずれか１つ以上を参照し、別の可能な実装において、ＤＣＩは下りリンク割り当てインデックスＤＡＩを含み、ＤＡＩは、ネットワークデバイスがＷｕ個の下りリンク送信単位についての受信応答を受信する必要があることを示すために使用される。
【００４５】
第３の態様及び前述の可能な実装のいずれか１つ以上を参照し、別の可能な実装において、当該方法は、ネットワークデバイスにより、第１の下りリンク送信単位セットに含まれる１つ以上の下りリンク送信単位で数量Ｗｕを示す情報を送出するステップであり、Ｗｕは正の整数又は０である、ステップをさらに含み、数量Ｗｕを示す情報は、ネットワークデバイスがＷｕ個の下りリンク送信単位についての受信応答を受信する必要があることを示すために使用される。
【００４６】
第３の態様及び前述の可能な実装のいずれか１つ以上を参照し、別の可能な実装において、数量Ｗｕを示す情報は、１つ以上の下りリンク送信単位で搬送される下りリンク制御情報ＤＣＩ内のＤＡＩインデックスを使用することにより示される。
【００４７】
第３の態様及び前述の可能な実装のいずれか１つ以上を参照し、別の可能な実装において、ＤＡＩ内のトータルＤＡＩが、ネットワークデバイスがＷｕ個の下りリンク送信単位についての受信応答を受信する必要があることを示すために使用される。
【００４８】
第４の態様によれば、指示方法が提供され、当該指示方法は、ユーザ装置ＵＥにより、第１の下りリンク送信単位セットに含まれる１つ以上の下りリンク送信単位で、ネットワークデバイスにより送出されかつ数量Ｑを示す情報を受信するステップであり、Ｑは０以上の正の整数である、ステップを含み、数量Ｑを示す情報は、第１の下りリンク送信単位セットに対応する上りリンク送信単位でＱ＋１個の下りリンク送信単位セットについての受信応答を送出するようＵＥに指示するために使用される。
【００４９】
第４の態様を参照し、第４の態様の可能な一実装において、Ｑが０に等しい場合、Ｑ＋１個の下りリンク送信単位セットは第１の下りリンク送信単位セットである。
【００５０】
第４の態様及び前述の可能な実装のいずれか１つ以上を参照し、別の可能な実装において、ＵＥは、第１の下りリンク送信単位セットに対応する上りリンク送信単位で、数量Ｑを示しかつ１つ以上の下りリンク送信単位で受信された情報に基づいてＱ＋１個の下りリンク送信単位セットについての受信応答を送出する。
【００５１】
第４の態様及び前述の可能な実装のいずれか１つ以上を参照し、別の可能な実装において、第１の下りリンク送信単位セットが少なくとも２つの下りリンク送信単位を含む場合、ＵＥにより、第１の下りリンク送信単位セットに対応する上りリンク送信単位で、数量Ｑを示しかつ１つ以上の下りリンク送信単位で受信された情報に基づいてＱ＋１個の下りリンク送信単位セットについての受信応答を送出するステップは、ＵＥにより、第１の下りリンク送信単位セットに対応する上りリンク送信単位で、数量Ｑを示しかつ第１の下りリンク送信単位セットに含まれる最後の下りリンク送信単位で受信された情報に基づいてＱ＋１個の下りリンク送信単位セットについての受信応答を送出するステップを含む。
【００５２】
第４の態様及び前述の可能な実装のいずれか１つ以上を参照し、別の可能な実装において、Ｑが１以上であり、第１の下りリンク送信単位セット内の全ての下りリンク送信単位上のＱが同じ場合、Ｑ個の下りリンク送信単位セットについての受信応答は、第３のセットについての受信応答を含み、第３のセットについての受信応答は、Ｑ個の下りリンク送信単位セットについての受信応答を含み、Ｑ個の下りリンク送信単位セットについての受信応答は、ネットワークデバイスがＥ個の上りリンク送信単位で送出するようＵＥに指示した、Ｑ個の下りリンク送信単位セットについての応答を含み、Ｅ個の上りリンク送信単位は第１の下りリンク送信単位セットの前に位置し、ＥはＱ以下である。
【００５３】
第４の態様及び前述の可能な実装のいずれか１つ以上を参照し、別の可能な実装において、Ｑが１以上であり、第１の下りリンク送信単位セット内の全ての下りリンク送信単位上のＱがＢ回変わる場合、Ｑ個の下りリンク送信単位セットについての受信応答は、第２のセットについての受信応答及び第３のセットについての受信応答を含み、第２のセットについての受信応答は、Ａ個の下りリンク送信単位セットについての受信応答を含み、Ａ個の下りリンク送信単位セットについての受信応答は、ネットワークデバイスがＢ個の変更の各々の後に存在する最初の下りリンク送信単位の前の上りリンク送信単位で送出するようＵＥに指示した、Ｃ個の下りリンク送信単位セットについての受信応答を含み、Ａ、Ｂ、及びＣは１以上の整数であり、ＢはＡ以下であり、ＣはＡ以下であり、第３のセットは、Ｄ個の下りリンク送信単位セットについての受信応答を含み、Ｄ個の下りリンク送信単位セットについての受信応答は、ネットワークデバイスがＥ個の上りリンク送信単位で送出するようＵＥに指示した、Ｄ個の下りリンク送信単位セットについての受信応答を含み、Ｅ及びＤは０以上の整数であり、ＥはＤ以下であり、Ｄ個の下りリンク送信単位セットは、第１のセット又は第２のセットに含まれる下りリンク送信単位セットを含まない。
【００５４】
Ｅ個の上りリンク送信単位は第１の下りリンク送信単位セットの前に位置し、Ａ＋Ｄ＝Ｑである。
【００５５】
第４の態様及び前述の可能な実装のいずれか１つ以上を参照し、別の可能な実装において、Ｂ個の変更の各々の後に存在する最初の下りリンク送信単位の前の上りリンク送信単位は、Ｂ個の変更の各々の後に存在する最初の下りリンク送信単位の直前の上りリンク送信単位を具体的に含む。
【００５６】
第４の態様及び前述の可能な実装のいずれか１つ以上を参照し、別の可能な実装において、Ｅ個の上りリンク送信単位は時間により決定される。
【００５７】
第４の態様及び前述の可能な実装のいずれか１つ以上を参照し、別の可能な実装において、Ｅ個の上りリンク送信単位は逆時系列順で決定される。
【００５８】
第４の態様及び前述の可能な実装のいずれか１つ以上を参照し、別の可能な実装において、Ａ＝ΣｉＣｉ、ｉ＝１，．．．，Ｂであり、Ｃｉは、Ｂ個の変更のうち第ｉの変更の後に存在する最初の下りリンク送信単位の前の上りリンク送信単位で送出された、Ｃｉ個の下りリンク送信単位セットについての受信応答である。
【００５９】
第４の態様及び前述の可能な実装のいずれか１つ以上を参照し、別の可能な実装において、当該指示方法は、ＵＥにより、指示オフセットＫに関する情報を取得するステップであり、Ｋは０以上の正の整数である、ステップをさらに含み、Ｅ個の上りリンク送信単位が第１の下りリンク送信単位セットの前に位置することは、Ｅ個の上りリンク送信単位が、第１の下りリンク送信単位セットに含まれる最初の下りリンク送信単位をＫ個の送信単位だけ前方にオフセットすることにより得られる下りリンク送信単位の前に位置することを含む。
【００６０】
第４の態様及び前述の可能な実装のいずれか１つ以上を参照し、別の可能な実装において、ＵＥは、ネットワークデバイスの指示遅延Ｊを示す情報を取得し、Ｊは、０以上の正の整数である。Ｊが１以上である場合、第１の下りリンク送信単位セットの前のＥ個の上りリンク送信単位は、第１の下りリンク送信単位セットをＪ−１個の送信単位だけ前方にオフセットすることにより得られる下りリンク送信単位の前のＥ個の上りリンク送信単位を含む。第４の態様及び前述の可能な実装のいずれか１つ以上を参照し、別の可能な実装において、当該指示方法は、ＵＥにより、指示オフセットＫに関する情報を取得するステップであり、Ｋは０以上の正の整数である、ステップをさらに含み、各変更の後に存在する最初の下りリンク送信単位の前の上りリンク送信単位は、各変更の後に存在する最初の下りリンク送信単位をＫ個の送信単位だけ前方にオフセットすることにより得られる下りリンク送信単位の前の上りリンク送信単位を含む。
【００６１】
第４の態様及び前述の可能な実装のいずれか１つ以上を参照し、別の可能な実装において、ＵＥは、ネットワークデバイスの指示遅延Ｊを示す情報を取得し、Ｊは、０以上の正の整数である。各変更の後に存在する最初の下りリンク送信単位の前の上りリンク送信単位は、各変更の後に存在する最初の下りリンク送信単位をＪ−１個の送信単位だけ前方にオフセットすることにより得られる下りリンク送信単位の前の上りリンク送信単位を含む。
【００６２】
第４の態様及び前述の可能な実装のいずれか１つ以上を参照し、別の可能な実装において、Ｋ＋１＝Ｊである。
【００６３】
第４の態様及び前述の可能な実装のいずれか１つ以上を参照し、別の可能な実装において、ＵＥはインデックスを取得し、１つのインデックスは１つの下りリンク送信単位セットに対応する。
【００６４】
第４の態様及び前述の可能な実装のいずれか１つ以上を参照し、別の可能な実装において、ＵＥにより、第１の下りリンク送信単位セットに対応する上りリンク送信単位で、数量Ｑを示しかつ１つ以上の下りリンク送信単位で受信された情報に基づいてＱ＋１個の下りリンク送信単位セットについての受信応答を送出するステップは、ＵＥにより、インデックスに対応する上りリンク送信単位で、数量Ｑを示しかつ１つ以上の下りリンク送信単位で受信された情報に基づいてＱ＋１個の下りリンク送信単位セットについての受信応答を送出するステップを含む。
【００６５】
第４の態様及び前述の可能な実装のいずれか１つ以上を参照し、別の可能な実装において、当該指示方法は、ＵＥにより、上りリンク送信単位がアイドルかどうかを監視するステップをさらに含み、ＵＥにより、第１の下りリンク送信単位セットに対応する上りリンク送信単位で、数量Ｑを示しかつ１つ以上の下りリンク送信単位で受信された情報に基づいて受信応答を送出するステップは、上りリンク送信単位がアイドルである場合、ＵＥにより、第１の下りリンク送信単位セットに対応する上りリンク送信単位で、数量Ｑを示しかつ１つ以上の下りリンク送信単位で受信された情報に基づいて受信応答を送出するステップを含む。
【００６６】
第５の態様によれば、指示方法が提供され、当該指示方法は、ネットワークデバイスにより、数量Ｗｔを示す情報を決定するステップであり、Ｗｔは１以上の正の整数であり、数量Ｗｔを示す情報は、ネットワークデバイスがＷｔ個の下りリンク送信単位セットについての受信応答を受信する必要があることを示すために使用される、ステップと、ネットワークデバイスにより、ユーザ装置ＵＥに、下りリンク送信単位セットに含まれる１つ以上の下りリンク送信単位で数量Ｗｔを示す情報を送出するステップと、を含む。
【００６７】
第５の態様を参照し、第５の態様の可能な一実装において、受信される必要があるＷｔ個の下りリンク送信単位セットについての受信応答は、現在の下りリンク送信単位が属する下りリンク送信単位セットについての受信応答と、過去にネットワークデバイスにより受信を不成功に終えられたＷｔ−１個の下りリンク送信単位セットについての受信応答と、を含む。
【００６８】
第５の態様及び前述の可能な実装のいずれか１つ以上を参照し、別の可能な実装において、過去にネットワークデバイスにより受信を不成功に終えられたＷｔ−１個の下りリンク送信単位セットについての受信応答は、下りリンク送信単位セットの前の１つ以上の下りリンク送信単位でネットワークデバイスにより示された１つ以上の下りリンク送信単位セットについての、ネットワークデバイスにより受信を不成功に終えられた受信応答を含まない。
【００６９】
第５の態様及び前述の可能な実装のいずれか１つ以上を参照し、当該方法は、ネットワークデバイスにより、下りリンク送信単位セットに対応する上りリンク送信単位で、ＵＥにより送出されたＷｔ個の下りリンク送信単位セットについての受信応答を受信するステップ、をさらに含み、１つの下りリンク送信単位セットは１つの上りリンク送信単位に対応する。
【００７０】
第５の態様及び前述の可能な実装のいずれか１つ以上を参照し、ネットワークデバイスが、複数の連続した上りリンク送信単位のうちいずれか１つで１つ以上の下りリンク送信単位セットについての受信応答の受信を不成功に終えた場合、複数の連続した上りリンク送信単位の各々でネットワークデバイスにより受信される必要がある１つ以上の下りリンク送信単位セットについての受信応答は、受信を不成功に終えられた１つ以上の下りリンク送信単位セットについての受信応答である。
【００７１】
第５の態様及び前述の可能な実装のいずれか１つ以上を参照し、ネットワークデバイスは、下りリンク送信単位セットに含まれる１つ以上の下りリンク送信単位でＵＥに下りリンク送信単位セットのインデックスをさらに送出し、１つのインデックスは１つの下りリンク送信単位セットに対応する。
【００７２】
第５の態様及び前述の可能な実装のいずれか１つ以上を参照し、ネットワークデバイスにより、下りリンク送信単位セットに対応する上りリンク送信単位で、ＵＥにより送出されたＷｔ個の下りリンク送信単位セットについての受信応答を受信するステップは、ネットワークデバイスにより、インデックスに対応する上りリンク送信単位で、ＵＥにより送出されたＷｔ個の下りリンク送信単位セットについての受信応答を受信するステップを含む。
【００７３】
第６の態様によれば、指示方法が提供され、当該指示方法は、ネットワークデバイスにより、数量Ｑを示す情報を取得するステップであり、Ｑは０以上の正の整数であり、数量Ｑを示す情報は、ネットワークデバイスがＱ＋１個の下りリンク送信単位セットについての受信応答を受信する必要があることを示すために使用される、ステップと、ネットワークデバイスにより、ユーザ装置ＵＥに、下りリンク送信単位セットに含まれる１つ以上の下りリンク送信単位で数量Ｑを示す情報を送出するステップと、を含む。
【００７４】
第６の態様を参照し、第６の態様の可能な一実装において、受信される必要があるＱ＋１個の下りリンク送信単位セットについての受信応答は、現在の下りリンク送信単位が属する下りリンク送信単位セットについての受信応答と、過去にネットワークデバイスにより受信を不成功に終えられたＱ個の下りリンク送信単位セットについての受信応答と、を含む。
【００７５】
第６の態様及び前述の可能な実装のいずれか１つ以上を参照し、別の可能な実装において、過去にネットワークデバイスにより受信を不成功に終えられたＱ−１個の下りリンク送信単位セットについての受信応答は、下りリンク送信単位セットの前の１つ以上の下りリンク送信単位でネットワークデバイスにより示された１つ以上の下りリンク送信単位セットについての、ネットワークデバイスにより受信を不成功に終えられた受信応答を含まない。
【００７６】
第６の態様及び前述の可能な実装のいずれか１つ以上を参照し、別の可能な実装において、当該方法は、ネットワークデバイスにより、下りリンク送信単位セットに対応する上りリンク送信単位で、ＵＥにより送出されたＱ＋１個の下りリンク送信単位セットについての受信応答を受信するステップ、をさらに含み、１つの下りリンク送信単位セットは１つの上りリンク送信単位に対応する。
【００７７】
第６の態様及び前述の可能な実装のいずれか１つ以上を参照し、別の可能な実装において、複数の連続した上りリンク送信単位のうちいずれか１つで１つ以上の下りリンク送信単位セットについての受信応答の受信を不成功に終えた場合、複数の連続した上りリンク送信単位の各々でネットワークデバイスにより受信される必要がある１つ以上の下りリンク送信単位セットについての受信応答は、受信を不成功に終えられた１つ以上の下りリンク送信単位セットについての受信応答である。
【００７８】
第６の態様及び前述の可能な実装のいずれか１つ以上を参照し、別の可能な実装において、ネットワークデバイスは、下りリンク送信単位セットに含まれる１つ以上の下りリンク送信単位でＵＥに下りリンク送信単位セットのインデックスをさらに送出し、１つのインデックスは１つの下りリンク送信単位セットに対応する。
【００７９】
第６の態様及び前述の可能な実装のいずれか１つ以上を参照し、別の可能な実装において、ネットワークデバイスにより、下りリンク送信単位セットに対応する上りリンク送信単位で、ＵＥにより送出されたＱ＋１個の下りリンク送信単位セットについての受信応答を受信するステップは、ネットワークデバイスにより、インデックスに対応する上りリンク送信単位で、ＵＥにより送出されたＱ＋１個の下りリンク送信単位セットについての受信応答を受信するステップを含む。
【００８０】
前述の態様のいずれか１つ又は前述の態様の前述の可能な実装の１つ以上を参照し、別の可能な実装において、下りリンク送信単位セットについての受信応答は、下りリンク送信単位セットに含まれる１つ以上の下りリンク送信単位についての受信応答を含む。
【００８１】
前述の態様のいずれか１つ又は前述の態様の前述の可能な実装の１つ以上を参照し、別の可能な実装において、下りリンク送信単位が１つ以上のキャリアを含む場合、下りリンク送信単位セットについての受信応答は、下りリンク送信単位セットに含まれる１つ以上の下りリンク送信単位に含まれる１つ以上のキャリアについての受信応答を含む。
【００８２】
前述の態様のいずれか１つ及び／又は前述の態様の前述の可能な実装の１つ以上を参照し、別の可能な実装において、受信応答は、肯定応答ＡＣＫ及び／又は否定応答ＮＡＣＫを含む。
【００８３】
第７の態様において、コンピュータ読取可能記憶媒体が提供される。当該コンピュータ読取可能記憶媒体は命令を含む。命令がコンピュータ上で実行されたとき、コンピュータは、前述の態様のいずれか１つ及び／又は前述の態様の前述の可能な実装の１つ以上に記載の指示方法を実行可能にされる。
【００８４】
第８の態様によれば、プログラムプロダクトが提供される。当該プログラムプロダクトは命令を含む。命令がコンピュータ上で実行されたとき、コンピュータは、前述の態様のいずれか１つ及び／又は前述の態様の前述の可能な実装の１つ以上に記載の指示方法を実行可能にされる。
【００８５】
第９の態様によれば、チップが提供され、当該チップは少なくとも１つの回路を含み、回路は、コンピュータが前述の態様のいずれか１つ及び／又は前述の態様の前述の可能な実装の１つ以上に記載の指示方法を実行することを可能にするプログラムコードを実行するように構成される。
【００８６】
第１０の態様によれば、チップが提供され、当該チップはプロセッサ及びメモリを含み、メモリは、プロセッサにより実行される命令を記憶し、命令は、コンピュータが前述の態様のいずれか１つ及び／又は前述の態様の前述の可能な実装の１つ以上に記載の指示方法を実行することを可能にする。
【００８７】
第１１の態様によれば、チップが提供され、当該チップはプロセッサを含む。プロセッサが命令を実行したとき、コンピュータは、前述の態様のいずれか１つ及び／又は前述の態様の前述の可能な実装の１つ以上に記載の指示方法を実行可能にされる。
【００８８】
第１１の態様によれば、通信デバイスが提供され、当該通信デバイスは、メモリ、プロセッサ、及びトランシーバを含む。メモリは、命令を記憶するように構成される。命令は、プロセッサ上で実行されて前述の態様のいずれか１つ及び／又は前述の態様の前述の可能な実装の１つ以上に記載の指示方法を実行する。当該通信デバイスは、ネットワークデバイス又はＵＥであり得る。
【００８９】
第１２の態様によれば、ネットワークデバイス及びＵＥを含む通信システムが提供される。当該通信システムは、前述の態様のいずれか１つ及び／又は前述の態様の前述の可能な実装の１つ以上に記載の指示方法を実行するように構成される。
【００９０】
第１３の態様によれば、指示方法が提供され、当該指示方法は、ユーザ装置ＵＥにより、第１の下りリンク送信単位セットに含まれる１つ以上の下りリンク送信単位で、ネットワークデバイスにより送出されかつ数量Ｗｕを示す情報を受信するステップであり、Ｗｕは正の整数又は０である、ステップを含み、数量Ｗｕを示す情報は、第１の下りリンク送信単位セットに対応する上りリンク送信単位でＷｕ個の下りリンク送信単位についての受信応答を送出するようＵＥに指示するために使用される。
【００９１】
第１３の態様及び前述の可能な実装のいずれか１つ以上を参照し、当該指示方法は、ＵＥにより、第１の下りリンク送信単位セットに対応する上りリンク送信単位で、数量Ｗｕを示しかつ１つ以上の下りリンク送信単位で受信された情報に基づいてＷｕ個の下りリンク送信単位についての受信応答を送出するステップをさらに含む。
【００９２】
第１３の態様及び前述の可能な実装のいずれか１つ以上を参照し、数量Ｗｕを示す情報は、１つ以上の下りリンク送信単位で搬送される下りリンク制御情報ＤＣＩ内のＤＡＩインデックスを使用することにより示される。
【００９３】
第１４の態様によれば、指示方法が提供され、当該指示方法は、ネットワークデバイスにより、数量Ｗｕを示す情報を決定するステップであり、Ｗｕは正の整数又は０であり、数量Ｗｕを示す情報は、ネットワークデバイスがＷｕ個の下りリンク送信単位についての受信応答を受信する必要があることを示すために使用される、ステップと、ネットワークデバイスにより、ユーザ装置ＵＥに、下りリンク送信単位セットに含まれる１つ以上の下りリンク送信単位で数量Ｗｕを示す情報を送出するステップと、を含む。
【００９４】
第１４の態様及び前述の可能な実装のいずれか１つ以上を参照し、数量Ｗｕを示す情報は、１つ以上の下りリンク送信単位で搬送される下りリンク制御情報ＤＣＩ内のＤＡＩインデックスを使用することにより示される。
【００９５】
第１３の態様及び／又は第１４の態様は、前述の態様のいずれか１つ組み合わせられてもよいことを理解されたい。
【図面の簡単な説明】
【００９６】
【図１】本出願によるシステムの概略構造図である。
【図２】本出願が適用可能な別のネットワークの概略アーキテクチャ図である。
【図３】本出願による送信単位の概略構造図である。
【図４】下りリンク再送指示方法の概略フローチャートである。
【図５】本出願による指示方法の概略フローチャートである。
【図６】本出願による別の指示方法の概略フローチャートである。
【図７Ａ】本出願による指示方法の概略図である。
【図７Ｂ】本出願による指示方法の概略図である。
【図７Ｃ】本出願による指示方法の概略図である。
【図７Ｄ】本出願による指示方法の概略図である。
【図８Ａ】本出願による別の指示方法の概略図である。
【図８Ｂ】本出願による別の指示方法の概略図である。
【図８Ｃ】本出願による別の指示方法の概略図である。
【図８Ｄ】本出願による別の指示方法の概略図である。
【図８Ｅ】本出願による別の指示方法の概略図である。
【図９Ａ】本出願による別の指示方法の概略図である。
【図９Ｂ】本出願による別の指示方法の概略図である。
【図９Ｃ】本出願による別の指示方法の概略図である。
【図９Ｄ】本出願による別の指示方法の概略図である。
【図９Ｅ】本出願による別の指示方法の概略図である。
【図１０Ａ】本出願による別の指示方法の概略図である。
【図１０Ｂ】本出願による別の指示方法の概略図である。
【図１０Ｃ】本出願による別の指示方法の概略図である。
【図１１Ａ】本出願による別の指示方法の概略フローチャートである。
【図１１Ｂ】本出願による別の指示方法の概略フローチャートである。
【図１２】本出願による別の指示方法の概略図である。
【図１３】本出願によるネットワークデバイスの概略構造図である。
【図１４】本出願によるネットワークデバイスの概略構造図である。
【図１５】本出願によるＵＥの概略構造図である。
【図１６】本出願によるＵＥの概略構造図である。
【図１７】本出願によるデバイス１００の概略構造図である。
【発明を実施するための形態】
【００９７】
本出願で用いられる用語は、単に特定の可能な実装を記述する目的のものであり、本出願を限定することは意図されない。本出願及び別記の特許請求の範囲で用いられる単数形の用語「a」、「an」及び「the」は、文脈において明確に別段規定されない限り、複数形を含むことも意図される。本出願において用いられる用語「及び／又は」は、１つ以上の関連する列挙項目又はそれらの全ての可能な組み合わせを指し、含む。本出願において採用される用語「含む」は、特徴、データ、情報、整数、ステップ、動作、要素、及び／又はコンポーネントの存在を規定するが、１つ以上の他の特徴、データ、情報、整数、ステップ、動作、コンポーネント、要素、及び／又はこれらの組み合わせの存在又は取り付けを除外しない。本出願において用いられる用語「指示（indication）」は、「明示的指示」及び／又は「暗黙的指示」を含むことがある。本出願におけるステップのシーケンスは、自由に配置されてもよい。これは、本出願において限定されない。ステップがシーケンス番号をマークされている場合でも、シーケンス番号は説明を簡略化するためにのみ使用される。実際には、ステップはシーケンス番号に従って実行されなくてもよく、あるいは同時に実行されてもよい。
【００９８】
当業者がより良い理解を得るのを助けるために、本出願におけるいくつかの用語を最初に説明する。
【００９９】
（１）ネットワークデバイスは、無線送受信機能を有する任意のデバイスでもよい。ネットワークデバイスは、これらに限られないがネットワークデバイス（例えば、ネットワークデバイスＮｏｄｅＢ、進化型ネットワークデバイスｅＮｏｄｅＢ、第５世代（the  fifth  generation、５Ｇ）通信システムにおけるネットワークデバイス（ｇＮＢ）、将来の通信システムにおけるネットワークデバイス、Ｗｉ‐Ｆｉシステムにおけるアクセスノード、無線中継ノード、又は無線バックホールノード）などを含む。あるいは、ネットワークデバイスは、クラウド無線アクセスネットワーク（cloud  radio  access  network、ＣＲＡＮ）シナリオにおける無線コントローラでもよい。あるいは、ネットワークデバイスは、５Ｇネットワークにおけるネットワークデバイス、又は将来の進化型ネットワークにおけるネットワークデバイスでもよく、あるいはウェアラブルデバイス、車載デバイスなどでもよい。あるいは、ネットワークデバイスは、スモールセル、送信ノード（transmission  reference  point、ＴＲＰ）などでもよい。確かに、本出願はこれに限定されない。（２）基地局は、基地局デバイスとも呼ばれてもよく、無線通信機能を提供するように無線アクセスネットワーク内に展開されるデバイスである。基地局は、異なる無線アクセスシステムにおいて異なる名前を有してもよい。例えば、ユニバーサル移動体通信システム（Universal  Mobile  Telecommunications  System、ＵＭＴＳ）ネットワークにおける基地局はノードＢ（NodeB）と呼ばれ、ＬＴＥネットワークにおける基地局は進化型ノードＢ（evolved  NodeB、略称ｅＮＢ又はｅＮｏｄｅＢ）と呼ばれ、将来の５Ｇシステムにおける基地局は送受信ポイント（Transmission  Reception  Point、ＴＲＰ）、ネットワークノード、又はｇ‐ＮｏｄｅＢ（g-NodeB、ｇＮＢ）と呼ばれる。（３）ユーザ装置（user  equipment、ＵＥ）は、無線送受信機能を有するデバイスであり、ネットワークデバイスと相互作用し得る。ＵＥは、屋内又は屋外デバイス及びハンドヘルド又は車載デバイスを含み陸上に展開されてもよく、水上（例えば、船上）に展開されてもよく、あるいは空中に（例えば、飛行機、気球、又は衛星上に）展開されてもよい。ＵＥは、モバイルフォン（mobile  phone）、タブレットコンピュータ（パッド（Pad））、無線送受信機能を有するコンピュータ、仮想現実（Virtual  Reality、ＶＲ）ＵＥデバイス、拡張現実（Augmented  Reality、ＡＲ）ＵＥデバイス、産業制御（industrial  control）における無線ＵＥ、自動運転（self  driving）における無線ＵＥ、遠隔医療（remote  medical）における無線ＵＥ、スマートグリッド（smart  grid）における無線ＵＥ、輸送安全（transportation  safety）における無線ＵＥ、スマートシティ（smart  city）における無線ＵＥ、スマートホーム（smart  home）における無線ＵＥなどでもよい。適用シナリオは、本出願の実施形態において限定されない。ＵＥは、ネットワークデバイスと通信可能なデバイスでもよい。ＵＥは、時に、端末デバイス、アクセス端末デバイス、ＵＥユニット、ＵＥ局、移動局、移動コンソール、遠隔局、遠隔端末デバイス、移動デバイス、無線通信デバイス、ＵＥエージェント、端末装置などとも呼ばれることがある。
【０１００】
名詞「ネットワーク」及び「システム」は、通常、互換的に使用され又は同一の文献において使用されるが、当該名詞の意味は当業者により理解され得る。用語「情報（information）」、「信号（signal）」、「メッセージ（message）」、及び「チャネル（channel）」は時に混在して使用されることがある。これらの用語により表される意味は、これらの用語の差が強調されていないとき一貫していることに留意されたい。用語「の（of）」、「対応する（corresponding、relevant）」、及び「対応する（corresponding）」は時に混在して使用されることがある。これらの用語により表される意味は、これらの用語の差が強調されていないとき一貫していることに留意されたい。
【０１０１】
以下で、添付の図面を参照して本出願の技術的解決策について説明する。
【０１０２】
図１は、本出願が適用されるシステムの概略図である。図１に示すように、システム１００は、ネットワークデバイス１０２と、ＵＥ１０４、１０６、１０８、１１０、１１２、及び１１４を含み得る（説明を容易にするため、以下では、ＵＥ１０４、１０６、１０８、１１０、１１２、及び１１４のうち任意の１つ以上を表すために、ＵＥ１０４が使用される）。ネットワークデバイス１０２は、ＵＥ１０４に無線接続される。図１は、システムが１つのネットワークデバイスを含む一例のみを使用することにより説明されていることを理解されたい。しかしながら、これは本出願において限定されない。例えば、システムは、より多くのネットワークデバイスをさらに含んでもよい。同様に、システムはより多くの又は少ないＵＥを含んでもよい。さらに、システムはネットワーク又はネットワークシステムと呼ばれることもあることを理解されたい。これは本出願において限定されない。
【０１０３】
図２は、本出願が適用可能な別のネットワークの概略アーキテクチャ図である。ネットワークの概略アーキテクチャ図は、次世代無線通信システムのＮＲネットワークアーキテクチャ図でもよい。ネットワークの概略アーキテクチャ図において、ネットワークデバイスは、１つの集中ユニット（Centralized  Unit、ＣＵ）と複数の送受信ポイント（Transmission  Reception  Point、ＴＲＰ）／分散ユニット（Distributed  Unit、ＤＵ）に分割され得る。換言すると、ネットワークデバイスの帯域幅ベースユニット（Bandwidth  Based  Unit、ＢＢＵ）は、ＤＵ及びＣＵ機能エンティティとして再構成される。集中ユニット及びＴＲＰ／ＤＵの形態及び数量は本出願に対する制限を構成しないことに留意されたい。図２に示すネットワークデバイス１及びネットワークデバイス２にそれぞれ対応する集中ユニットの形態は異なるが、ネットワークデバイス１及びネットワークデバイス２の機能は影響を受けない。破線範囲内の集中ユニット１及びＴＲＰ／ＤＵはネットワークデバイス１の構成要素であり、実線範囲内の集中ユニット２及びＴＲＰ／ＤＵはネットワークデバイス２の構成要素であり、ネットワークデバイス１及びネットワークデバイス２はＮＲシステムにおけるネットワークデバイスである（又は基地局と呼ばれる）ことが理解され得る。ＣＵは、無線リソース制御（Radio  Resource  Control、ＲＲＣ）レイヤ又はパケットデータ収束プロトコル（Packet  Data  Convergence  Protocol、ＰＤＣＰ）レイヤなどの無線上位レイヤのプロトコルスタック機能を処理することができ、アクセスネットワークがエッジコンピューティングネットワークと称される場合のアクセスネットワークへのいくつかのコアネットワーク機能のシンクをサポートして、ビデオ、オンラインショッピング、及び仮想／拡張現実などの新興サービスのための将来の通信ネットワークのより高いネットワークレイテンシ要件を満たすことさえできる。ＤＵは主に、より高いリアルタイム要件を有する物理レイヤ機能及びレイヤ２機能を処理することができる。ＤＵのいくつかの物理層機能は、無線リモートユニット（Radio  Remote  Unit、ＲＲＵ）及びＤＵの送信リソースを考慮してＲＲＵに移動されてもよい。ＲＲＵの小型化により、さらに根本的に、ＤＵがＲＲＵと組み合わせられてもよい。ＣＵは、集中方式で展開されてもよい。ＤＵの展開は、実際のネットワーク環境に依存する。高いトラフィック密度、小さい局間隔、及び限られた機器ルームリソース、例えば大学や大規模なパフォーマンス会場などを有する、中核的な都市エリアにおいて、ＤＵもまた集中方式で展開されてもよい。しかしながら、まばらなトラフィック及び比較的大きい局間隔を有する、例えば郊外の郡や山岳エリアなどの地域では、ＤＵは分散方式で展開されてもよい。図２に示すＳ１‐Ｃインターフェースは、ネットワークデバイスとコアネットワークとの間の標準インターフェースでもよく、Ｓ１‐Ｃを介して接続される特定のデバイスは、図２には示されていない。
【０１０４】
図１及び図２を参照し、ネットワークデバイスは、データ及び／又は制御情報をＵＥに送出し、制御情報は、関連データの送受信を示すために使用され得る。データ及び／又は制御情報は、同じ送信単位（transmission  unit）上で送信されてもよく、あるいは異なる送信単位上で送信されてもよい。制御情報及びデータが異なる送信単位上で送信されるとき、制御情報は、制御情報の対応する情報及び制御情報に対応するデータを含み得る。送信単位は、デバイス（これらに限られないがネットワークデバイス及び／又はＵＥを含むがリソースを割り当て及び／又はデータを送信するときに使用される時間ドメイン粒度に対応し、あるいはデバイスがデータを送信又は送出するときに使用される最小時間単位に対応する。送信単位は、少なくとも１つの連続した送信時間間隔（transmission  time  interval、ＴＴＩ）、サブフレーム（subframe）、スロット（slot）、又は時間ドメインシンボル（symbol）に対応する。送信単位に含まれる各ＴＴＩは、完全なＴＴＩでもよく（具体的に言えば、ＴＴＩに対応する全ての時間ドメインリソースが、情報を送出するために占有される）、あるいは部分的なＴＴＩでもよい（具体的に言えば、ＴＴＩに対応するいくつかの時間ドメインリソースが、情報を送出するために占有され、他の時間ドメインリソースは、アイドルとして保持される）。任意で、スロットは、１ｍｓスロットでもよく、あるいは１ｍｓ又は１ｍｓ未満の長さを有するサブフレームと呼ばれてもよい。スロットは、１４個の時間ドメインシンボルに対応してもよく、あるいは１４個より少ない時間ドメインシンボルに対応してもよい。スロットが１４個より少ない時間ドメインシンボルを含むとき、スロットは短縮送信時間間隔（short  TTI、ｓＴＴＩ）に対応する。この場合、スロットは、ミニスロット（mini-slot）又は非スロット（non-slot）と呼ばれる。図３に示すように、１つの送信単位は、１つ以上のキャリア（又は、コンポーネントキャリア（component  carrier、ＣＣ）と呼ばれる）を含み得る。これらのキャリアは、プライマリセル（又は、プライマリサービングセル（primary  serving  cell、ＰＣｅｌｌ）と呼ばれる）に対応するキャリアを含んでもよく、セカンダリセル（セカンダリサービングセル（secondary  serving  cell）、ＳＣｅｌｌ）に対応する１つ以上のキャリアをさらに含んでもよい。ネットワークデバイスは、下りリンク送信単位でデータ及び／又は制御情報をＵＥに送出し、ＵＥは、上りリンク送信単位でデータ及び／又は制御情報をネットワークデバイスに送出する。複数の下りリンク送信単位は、下りリンク送信単位セットを形成することができ、１つの下りリンク送信単位セットは、少なくとも１つの下りリンク送信単位を含む。
【０１０５】
図４は、下りリンク再送指示方法の概略フローチャートである。図４に示すように、Ｓ１０１：ネットワークデバイスが、下りリンク送信単位でデータ及び／又は制御情報をＵＥに送出する。Ｓ１０２：ＵＥが、データ及び／又は制御情報が成功裏に受信されたかどうかを判定する。Ｓ１０３：ＵＥが、受信応答を送出する。ＵＥがデータ及び／又は制御情報を成功裏に受信した場合、ＵＥは、ネットワークデバイスに、物理上りリンク制御チャネル（physical  uplink  control  channel、ＰＵＣＣＨ）／物理上りリンク共有チャネル（physical  uplink  shared  channel、ＰＵＳＣＨ）などの上りリンク送信単位で、成功裏の受信を示す受信応答、例えばＡＣＫを送信してもよい。ＵＥがデータ及び／又は制御情報の受信を不成功に終えた場合、ＵＥは、ネットワークデバイスに、上りリンク送信単位で、失敗した受信を示す受信応答、例えばＮＡＣＫを送出してもよい。Ｓ１０４：ＵＥが受信応答を成功裏に送出した場合、ネットワークデバイスは、受信応答に基づいて、データ及び／又は制御情報がＵＥにより成功裏に受信されたかどうかを判定する。例えば、ネットワークデバイスがＡＣＫを受信した場合、ネットワークデバイスは、データ及び／又は制御情報がＵＥ１０２により成功裏に受信されたと判定し、データ及び／又は制御情報をもはや送出しない。ネットワークデバイスがＮＡＣＫを受信した場合、ネットワークデバイスは、データ及び／又は制御情報を再送してもよい。データ及び／又は制御情報を送出又は再送することに追加で、ネットワークデバイスは、ＵＥが受信応答を送出する方式を示すために、データ及び／又は制御情報の制御情報をさらに送出してもよい。制御情報と、制御情報で示されるデータ及び／又は制御情報は、同じ下りリンク送信単位で送出されても又はそうでなくてもよく、同じ情報又はシグナリングを使用することにより送出されても又はそうでなくてもよく、同時に送出されても又はそうでなくてもよい。これらは本出願において限定されない。図３及び図４を参照し、本出願において、受信応答は、キャリアについての受信応答でもよく、下りリンク送信単位についての受信応答でもよく、あるいは下りリンク送信単位セットについての受信応答でもよい。
【０１０６】
ＨＡＲＱ及びＡＲＱが本出願に適用可能であり得ることを理解されたい。ＨＡＲＱが本出願に適用可能なとき、下りリンク送信単位セットは、ネットワークデバイスによりＵＥに対してスケジュールされる下りリンク送信単位のセットであり、下りリンク送信単位で搬送されるデータに対応するＨＡＲＱ応答は、同じ上りリンク送信単位に配置される。上りリンク送信単位の決定は、ネットワークデバイスにより示さ得る。任意で、ネットワークデバイスは、下りリンク送信単位セット内の各下りリンク送信単位でシグナリングを使用することにより、ＵＥが下りリンク送信単位に対応するＨＡＲＱ応答をフィードバックすべき上りリンク送信単位を指示する。シグナリングは、下りリンク制御情報（ＤＣＩ）又は他のシグナリングでもよい。ＤＣＩシグナリングが指示に使用される場合、フィードバックされる必要のある下りリンク送信の数量が、ＤＣＩシグナリング内の下りリンク割り当てインデックス（Downlink  Assignment  Index、ＤＡＩ）フィールドに基づいて指示されてもよく、指示ビットの数量は、ＵＥによりフィードバックされるべきビット数量である。あるいは、３８．２１３のＤＣＩフォーマットで定義されたＰＤＳＣＨ対ＨＡＲＱフィードバックタイミングインジケータ（PDSCH-to-HARQ_feedback  timing  indicator）フィールドが指示に使用されてもよい。さらに、ＵＥが、第ｎの下りリンク送信単位で、ＰＤＳＣＨ対ＨＡＲＱフィードバックタイミングインジケータに含まれる、ＵＥに対する下りリンク送信をスケジュールしたＤＣＩを受信したとき、ＵＥは、ｎ＋ｋ個の送信単位における上りリンク送信単位で、ＰＤＳＣＨ対ＨＡＲＱフィードバックタイミングインジケータにより示される値ｋに基づいて下りリンク送信ビットについてのＨＡＲＱ応答をフィードバックする。任意で、ネットワークデバイスは、事前構成、例えば、ＬＴＥにおけるＴＤＤ構成（TDD  configuration）を介して構成モードを示してもよい。ネットワークデバイスは、システムメッセージを使用することによりＴＤＤ構成の構成情報を通知し、ＵＥは、構成指示に基づいて、各下りリンク送信単位上の下りリンク送信に対応するＨＡＲＱ応答を送信すべき上りリンク送信単位を習得することができる。任意で、事前構成は、代わりに別の方法で示されてもよい。例えば、事前構成された構成情報は、共通制御情報（グループ共通ＤＣＩ（group  common  DCI））及び／又は上位レイヤ構成情報（ＲＲＣシグナリング）を使用することによりＵＥに通知される。この情報に基づいて、ＵＥは、各下りリンク送信単位上の下りリンク送信に対応するＨＡＲＱ応答を送信すべき上りリンク送信単位を習得することができる。任意で、デフォルトのメカニズムが使用されてもよい。第ｎの送信単位で受信した下りリンク送信に対して、ＵＥはデフォルトで、第（ｎ＋ｋ）の送信単位（例えば、ｋ＝４）上の下りリンク送信についてのＨＡＲＱ応答を送出する。任意で、下りリンク送信単位と、対応するＨＡＲＱ応答が位置する上りリンク送信単位との間の対応は、何らかの他の方法で示されてもよい。これは本発明において具体的に限定されない。
【０１０７】
時分割複信（time  division  duplex、ＴＤＤ）モードを使用する通信ネットワークにおいて、複数の下りリンク送信単位についての受信応答は、同じ上りリンク送信単位で送出されてもよい。ＵＥは、下りリンク送信単位セットの粒度で受信応答をフィードバックする。ＵＥが受信応答の送出を不成功に終えたか、あるいはネットワークデバイスが受信応答の受信を不成功に終えたとき、ネットワークデバイスは、受信応答を再送するようＵＥに要求する必要がある。ＵＥにより受信応答を再送する方法が定義されていない場合、その後の通信に障害やエラーが発生する可能性があり、通信リソースを浪費する。ＵＥが受信応答の送出を不成功に終えることは、ＵＥが受信応答を送出しないこと、及び／又は、ＵＥにより送出された受信応答がネットワークデバイスによる受信を不成功に終えられる（unsuccessfully  received）ことを含む。ネットワークデバイスが受信応答の受信を不成功に終えることは、ネットワークデバイスが受信応答を受信しないこと、及び／又はネットワークデバイスにより受信された受信応答を正しく解析できないことを含む。ネットワークデバイス及び／又はＵＥが、アンライセンス（unlicensed）スペクトルが使用されるシステムに展開される場合、受信応答を送出する前、ＵＥは、アンライセンススペクトルがアイドルであるかどうかを監視する（例えば、上りリンク送信単位がアイドルであるかどうかを監視する）。アンライセンススペクトルがアイドルでない場合、ＵＥは受信応答を送出しない。送出が行われる前に監視が行われるこのメカニズムは、リッスンビフォアトーク（Listen  Before  Talk、略称ＬＢＴ）と呼ばれる。ＬＢＴ中は、チャネル（上りリンク送信単位）占有状態が不明であるため、ネットワークデバイス又はＵＥは、常に受信応答を適時に送出できるわけではない。その結果、その後の送信において障害やエラーが発生する可能性がより高い。例えば、ＵＥが前の下りリンク送信単位セットについての受信応答を送出しておらず、ＵＥが現在の下りリンク送信単位セットについての受信応答を送出する必要があるとき、ＵＥは、２つの受信応答を送出する方法がわからない。
【０１０８】
本出願で提供される指示方法によれば、ＵＥに対して、受信応答が送出される対象の下りリンク送信単位セットの数量及び／又は下りリンク送信単位セットと、受信応答が送出される上りリンク送信単位が示される。これは、受信応答が送出されず、又はネットワークデバイスにより成功裏に受信されないときに発生する通信障害の問題を回避する。本出願における下りリンク送信単位セットはフィードバックウィンドウ又はウィンドウとして理解され得ることを理解されたい。
【０１０９】
以下で、添付の図面を参照して本出願の技術的解決策について説明する。
【０１１０】
図５は、本出願による指示方法の概略フローチャートである。図５に示すように、指示方法は以下のステップを含む。
【０１１１】
Ｓ５０１：ＵＥが、第１の下りリンク送信単位セットに含まれる１つ以上の下りリンク送信単位で、ネットワークデバイスにより送出されかつ数量Ｗｔを示す情報を受信する。ここで、Ｗｔは１以上の正の整数である。代わりに、Ｗｔは負の整数、０などでもよいことを理解されたい。これは本出願において限定されない。Ｗｔが０のとき、現在の下りリンク送信単位セットについての受信応答は送信されないこと、又は、現在の下りリンク送信単位セットについての受信応答は送信される前に他のシグナリングの指示を待機する必要があることが示され得る。数量Ｗｔを示す情報は、第１の下りリンク送信単位セットに対応する上りリンク送信単位でＷｔ個の下りリンク送信単位セットについての受信応答を送出するようＵＥに指示するために使用される。一例として図７Ａを使用する。ＵＥは、下りリンク送信単位セット１に含まれる２つの下りリンク送信単位、すなわち送信単位１及び送信単位２上で、ネットワークデバイスにより送出されかつ数量Ｗｔを示す情報を受信する。あるいは、ＵＥは、下りリンク送信単位セット２に含まれる下りリンク送信単位、すなわち送信単位４上で、ネットワークデバイスにより送出されかつ数量Ｗｔを示す情報を受信してもよい。
【０１１２】
前述の内容では、フィードバックが必要とされる下りリンク送信単位セットの数量をＵＥがどのように習得するかを主に説明している。本発明では、さらに、Ｗｕ個の下りリンク送信単位についてフィードバックが行われる必要があることが示されてもよい。例えば、ＤＣＩシグナリングが使用されて、Ｗｕ個の下りリンク送信単位についての受信応答がフィードバックされる必要があることを示してもよい。１つ以上の下りリンク送信単位セットにおいて受信応答がフィードバックされる必要がある下りリンク送信単位の数量、又は１つ以上の下りリンク送信単位セットに対応する受信応答に含まれる情報ビットの数量（これは、ＨＡＲＱ‐ＡＣＫフィードバックコードブック（HARQ-ACK  feedback  codebook）におけるビット数量として参照されてもよい）が、ＤＣＩシグナリングにおける関連する指示に基づいて決定されてもよい。例えば、ＬＴＥ／ＮＲシステムで定義されたＤＣＩシグナリングにおけるＤＡＩフィールドが使用されてもよい。具体的には、ＤＡＩフィールドは、カウンタＤＡＩ（counter  DAI）とトータルＤＡＩインデックス（total  DAI  index）を含む。任意で、ＤＡＩフィールドのインジケータは、応答される必要がある下りリンク送信単位セットの数量Ｗｔを参照して更新されるべきである。例えば、トータルＤＡＩは、ＵＥにより応答される必要がある下りリンク送信単位の総数量（Ｗｕ）を示すために使用され、この数量は、応答される必要がある下りリンク送信単位セットに含まれる下りリンク送信単位の総数量に等しい。カウンタＤＡＩもまた、応答される必要がある下りリンク単位セットの数量Ｗｔを参照して更新されてもよいことが理解され得る。
【０１１３】
本出願で提供される指示方法によれば、ＵＥに対して、受信応答が送出される対象の下りリンク送信単位セットの数量と、受信応答が送出される上りリンク送信単位が示される。これは、ＵＥが受信応答を送出しないか又は送出された受信応答がネットワークデバイスにより成功裏に受信されないとき通信障害が発生する問題を回避し、それにより、通信システム全体の誤り率を低減し、通信品質及び効率を改善する。
【０１１４】
任意で、Ｓ５０２において、ＵＥが、上りリンク送信単位がアイドルかどうかを監視する。上りリンク送信単位がアイドルの場合、Ｓ５０３が実行される。上りリンク送信単位がアイドルでない場合、Ｓ５０３は実行されない。一般に、ＵＥは、信号を送出する前、上りリンク送信単位（例えば、アンライセンススペクトル又はアンライセンスチャネル）がアイドルかどうかを監視する。アンライセンススペクトル／チャネルのビジー／アイドル状態は、アンライセンススペクトル／チャネルにおける受信電力に基づいて決定されてもよい。受信電力が閾値未満である場合、アンライセンススペクトル／チャネルはアイドル状態であり、信号はアンライセンススペクトル／チャネル上で送出されてもよいと考えられ、そうでない場合、信号は送出されない。
【０１１５】
Ｓ５０３：ＵＥが、第１の下りリンク送信単位セットに対応する上りリンク送信単位で、数量Ｗｔを示しかつ１つ以上の下りリンク送信単位上で受信された情報に基づいて、Ｗｔ個の下りリンク送信単位セットについての受信応答を送出する。第１の下りリンク送信単位セットが少なくとも２つの下りリンク送信単位を含む場合、ＵＥは、第１の下りリンク送信単位セットに対応する上りリンク送信単位で、数量Ｗｔを示しかつ第１の下りリンク送信単位セットに含まれる最後の下りリンク送信単位で受信された情報に基づいて、Ｗｔ個の下りリンク送信単位セットについての受信応答を送出する。一例として図７Ａを使用する。下りリンク送信単位セット４は、３つの下りリンク送信単位（送信単位７、９、及び１０）を含む。この場合、ＵＥは、下りリンク送信単位セット４に対応する上りリンク送信単位（送信単位ｎ）において、数量Ｗｔを示しかつ下りリンク送信単位セット４に含まれる最後の下りリンク送信単位、すなわち送信単位１０で受信された情報に基づいて、２つの下りリンク送信単位セットについての受信応答、すなわち下りリンク送信単位セット３及び下りリンク送信単位セット４についての受信応答を送出する。
【０１１６】
アンライセンススペクトル／チャネル／送信単位では、ＵＥが受信応答の送出を不成功に終える確率が高まる。ＵＥが受信応答の送出を不成功に終えたとき、ネットワークデバイスは、ＵＥに対して、その後の送信において、受信応答が送出される必要がある対象の下りリンク送信単位セットと、受信応答が送出される必要がある上りリンク送信単位を示す必要があり、それにより、通信障害を回避し、通信品質及び効率を改善する。
【０１１７】
Ｗｔが１に等しい場合、Ｗｔ個の下りリンク送信単位セットは第１の下りリンク送信単位セットである。一例として図７Ａを使用する。数量Ｗｔを示しかつ送信単位１及び２上でＵＥにより受信された情報が１である、すなわちＷｔ＝１の場合、ＵＥは、下りリンク送信単位セット１に対応する上りリンク送信単位（送信単位３）上で下りリンク送信単位セット１についての受信応答を送出する必要がある。
【０１１８】
Ｗｔが２以上であり、第１の下りリンク送信単位セット内の全ての下りリンク送信単位上のＷｔが同じ場合、Ｗｔ個の下りリンク送信単位セットについての受信応答は、第１のセットについての受信応答と、第３のセットについての受信応答を含み、第１のセットについての受信応答は、第１の下りリンク送信単位セットについての受信応答を含み、第３のセットについての受信応答は、Ｗｔ−１個の下りリンク送信単位セットについての受信応答を含み、Ｗｔ−１個の下りリンク送信単位セットについての受信応答は、ネットワークデバイスがＥ個の上りリンク送信単位で送出するようＵＥに指示した、Ｗｔ−１個の下りリンク送信単位セットについての応答であり、Ｅ個の上りリンク送信単位は、第１の下りリンク送信単位セットの前に位置し、ＥはＷｔ−１以下である。任意で、Ｅ個の上りリンク送信単位は（逆の）時系列順で決定される。
【０１１９】
ＵＥは、受信応答が送出される必要がある対象の下りリンク送信単位セットを識別するために、上りリンク送信単位について前方に（特定の順序で）探索することが理解され得る。特定の順序は、時間により決定されてもよい。ここで、時間により決定することは、逆時系列順で決定することでもよい。具体的に言えば、第１の下りリンク送信単位セットの前であって第１の下りリンク送信単位セットに最も近い上りリンク送信単位、すなわち、時間に関して最後にスケジュールされた上りリンク送信単位が、最初に探索される。上りリンク送信単位でＵＥにより受信応答が送出される必要がある対象の下りリンク送信単位セットの数量がＷｔ−１未満の場合、ＵＥは、下りリンク送信単位セットの数量とＵＥにより受信応答が送出される必要がある対象の特定の下りリンク送信単位セットについて前方に探索する、すなわち、時間に関して最後にスケジュールされた上りリンク送信単位の前の上りリンク送信単位において探索する。前方で発見された上りリンク送信単位でＵＥにより応答が送出される必要がある対象の下りリンク送信単位セットの累積数量がＷｔ−１のとき（繰り返しの下りリンク送信単位セットは１回だけカウントされる）、上りリンク送信単位は、これ以上前方に探索されない。「前方（forward）」とは、時間に関して下りリンク送信単位セットの前であることを意味する。一例として図１０Ａを使用する。送信単位７は送信単位８、９、及び１０の前であり、送信単位８は送信単位９及び１０の前であり、送信単位９は送信単位１０の前であると考えられ得る。実際の状況が考慮されないとき、単に順序についての明確な説明のため、下りリンク送信単位セット４については、送信単位１１が最初発見されると考えられ得る。送信単位１１上でＵＥにより受信応答が送出される必要がある対象の下りリンク送信単位セットの数量がＷｔ−１未満の場合、送信単位７が逆時系列順で発見される。
【０１２０】
一例として図１０Ａを使用する。下りリンク送信単位セット３は、３つの下りリンク送信単位（送信単位８、９、及び１０）を含み、数量Ｗｔを示しかつ送信単位８、９、及び１０上でＵＥにより受信される情報は同じであり、すなわちＷｔは同じであり、２に等しい。この場合、２つの下りリンク送信単位セットについての受信応答は、第１のセットについての受信応答と第３のセットについての受信応答を含み、第１のセットは、下りリンク送信単位セット３である。ネットワークデバイスは、２−１個の下りリンク送信単位セットについての受信応答、具体的に言えば、下りリンク送信単位セット３の前の上りリンク送信単位（送信単位７）上でＵＥにより送出される、下りリンク送信単位セット１についての受信応答を指示する。したがって、第３のセットについての受信応答は、１つの下りリンク送信単位セットについての受信応答を含む。
【０１２１】
さらに、任意で、各下りリンク送信単位セットについて、ＤＣＩシグナリングにおけるカウンタＤＡＩ及び／又はトータルＤＡＩなどの関連フィールドが使用されて、現在の瞬間にセット内で応答される必要がある下りリンク送信単位の数量を示してもよい。一例として図１０Ａを使用する。下りリンク送信単位セット１は、３つの下りリンク送信単位（送信単位１、２、及び３）を含む。この場合、送信単位１では、トータルＤＡＩは１に等しく、送信単位２では、トータルＤＡＩは２に等しく、現在応答される必要がある２つの下りリンク送信単位があることを示し、送信単位３では、トータルＤＡＩは３に等しく、現在応答される必要がある３つの下りリンク送信単位があることを示す。しかしながら、下りリンク送信単位セット３において、それは、応答される必要がある２つの下りリンク送信単位、すなわち、セット１及び３があることを示している。この場合、下りリンク送信単位セット３におけるＤＡＩインデックスもまた調整／更新される必要がある。具体的に言えば、送信単位８では、トータルＤＡＩは４に等しく、送信単位９では、トータルＤＡＩは５に等しく、現在応答される必要がある５つの下りリンク送信単位があることを示し、送信単位１０では、トータルＤＡＩは６に等しく、現在応答される必要がある６つの下りリンク送信単位があることを示す。すなわち、トータルＤＡＩは、ＵＥにより応答される必要がある下りリンク送信単位の総数量を示すために使用され、この数量は、応答される必要がある１つ以上の下りリンク送信単位セットに含まれる下りリンク送信単位の総数量に等しい。
【０１２２】
送信単位セットにおける応答ビットの数量の指示、例えば、ＤＡＩを使用することにより行われる指示は全て、本発明における前述の方法で実現されてもよいことが理解され得、詳細は以下で再度説明されない。任意で、セット内の応答ビットの数量の指示は、既存のＤＡＩメカニズムに基づいて調整されてもよい。これは本発明において限定されない。
【０１２３】
Ｗｔが２以上であり、第１の下りリンク送信単位セット内の全ての下りリンク送信単位上のＷｔがＢ回変わる場合、Ｗｔ個の下りリンク送信単位セットについての受信応答は、第１のセットについての受信応答、第２のセットについての受信応答、第３のセットについての受信応答を含む。第１のセットについての受信応答は、第１の下りリンク送信単位セットについての受信応答を含む。第２のセットについての受信応答は、Ａ個の下りリンク送信単位セットについての受信応答を含み、Ａ個の下りリンク送信単位セットについての受信応答は、ネットワークデバイスがＢ個の変更の各々の後に存在する最初の下りリンク送信単位の前の上りリンク送信単位で送出するようＵＥに指示した、Ｃ個の下りリンク送信単位セットについての受信応答を含み、ここで、Ａ、Ｂ、及びＣは１以上の整数であり、ＢはＡ以下であり、ＣはＡ以下である。第３のセットは、Ｄ個の下りリンク送信単位セットについての受信応答を含み、Ｄ個の下りリンク送信単位セットについての受信応答は、ネットワークデバイスがＥ個の上りリンク送信単位で送出するようＵＥに指示した、Ｄ個の下りリンク送信単位セットについての受信応答を含み、ここで、Ｅ及びＤは０以上の整数であり、ＥはＤ以下であり、Ｄ個の下りリンク送信単位セットは、第１のセット又は第２のセットに含まれる下りリンク送信単位セットを含まず、Ｅ個の上りリンク送信単位は、第１の下りリンク送信単位セットの前に位置し、Ａ＋Ｄ＋１＝Ｗｔである。任意で、Ｅ個の上りリンク送信単位は、（逆の）時系列順で決定される。任意で、Ｂ個の変更の各々の後に存在する最初の下りリンク送信単位の前の上りリンク送信単位は、具体的に、Ｂ個の変更の各々の後に存在する第１の下りリンク送信単位の直前の上りリンク送信単位を含んでもよい。任意で、Ａ＝ΣｉＣｉ、ｉ＝１，．．．，Ｂであり、Ｃｉは、Ｂ個の変更のうち第ｉの変更の後に存在する最初の下りリンク送信単位の前の上りリンク送信単位で送出された、Ｃｉ個の下りリンク送信単位セットについての受信応答である。Ｂ＝１のとき、Ｃ＝Ａである。
【０１２４】
第１の下りリンク送信単位セット内の全ての下りリンク送信単位上のＷｔが同じであるという説明を参照し、ＵＥは、受信応答が送出される必要がある対象の下りリンク送信単位セットを識別するために、上りリンク送信単位について前方に（時間順序に従って、例えば、逆時系列順で）探索することが理解され得る。まず、ＵＥは、Ｂ個の変更の各々の後に存在する最初の下りリンク送信単位の前の（に最も近い）上りリンク送信単位において、ＵＥにより受信応答が送出される必要がある対象の下りリンク送信単位セットの数量と、特定の下りリンク送信単位セットについて探索する。Ｂ個の発見された上りリンク送信単位で応答が送出される必要がある対象の下りリンク送信単位セットの累積数量がＷｔ−１の場合（繰り返しの下りリンク送信単位セットは１回だけカウントされる）、下りリンク送信単位セットの外部にあって第１の下りリンク送信単位セットの前にある上りリンク送信単位は、これ以上探索されない。Ｂ個の発見された上りリンク送信単位で応答が送出される必要がある対象の下りリンク送信単位セットの累積数量がＷｔ−１未満の場合、下りリンク送信単位セットの外部にあって下りリンク送信単位セットの前にある上りリンク送信単位が探索される。前方で発見された上りリンク送信単位で応答がＵＥにより送出される必要がある対象の下りリンク送信単位セットの累積数量がＷｔ−Ａ−１のとき（繰り返しの下りリンク送信単位セットは１回だけカウントされる）、上りリンク送信単位は前方にこれ以上探索されない。
【０１２５】
一例として図１０Ａを使用する。下りリンク送信単位セット５におけるの全ての下りリンク送信単位（送信単位１５、１６、及び１８）上のＷｔは１回変わり、すなわち、送信単位１５及び１６上の３から送信単位１８上の５に変化する。この場合、５つの下りリンク送信単位セットについての受信応答は、第１のセットについての受信応答、第２のセットについての受信応答、第３のセットについての受信応答を含み、第１のセットについての受信応答は、下りリンク送信単位セット５についての受信応答を含む。ネットワークデバイスは、２つの下りリンク送信単位セットについての受信応答、具体的に言えば、最後の変更の後に存在する最初の下りリンク送信単位（送信単位１８）の前の上りリンク送信単位（送信単位１７）上でＵＥにより送出される、下りリンク送信単位セット２及び下りリンク送信単位セット４についての受信応答を指示する。したがって、第２のセットについての受信応答は、２つの下りリンク送信単位セットについての受信応答を含む。ネットワークデバイスは、２つの下りリンク送信単位セットについての受信応答、具体的に言えば、下りリンク送信単位セット５の前の上りリンク送信単位でＵＥにより送出される、下りリンク送信単位セット１及び下りリンク送信単位セット３についての受信応答を指示する。したがって、第３のセットは、２つの下りリンク送信単位セットについての受信応答を含む。ＵＥは、下りリンク送信単位セット５に対応する上りリンク送信単位（送信単位２１）上で、５つの下りリンク送信単位セットについての受信応答、すなわち、下りリンク送信単位セット１〜５についての受信応答を送出する。
【０１２６】
上述のように、ＵＥは、受信応答が送出される必要がある対象の下りリンク送信単位セットを識別するために、上りリンク送信単位について前方に探索する。ＵＥが、指示オフセットＫに関する情報を取得した場合、ＵＥは、上りリンク送信単位について探索する前にＫ個の送信単位だけ逆カウントする必要がある。ＵＥは、ネットワークデバイスの指示遅延Ｊに関する情報をさらに取得してもよいことが理解され得る。ネットワークデバイスの処理能力の制限に起因して、ネットワークデバイスは、指示遅延Ｊ（又は、処理遅延と呼ばれる）を有する。ネットワークデバイスが、送信単位ｎ上で受信応答の受信を不成功に終えた場合、ネットワークデバイスは、ＵＥに直ぐに指示することはできず、最も早くて送信単位ｎ＋ＪでのみＵＥに指示することができる。送信単位ｎ＋Ｊが下りリンク送信単位でない場合、送信単位ｎ＋Ｊの直後の下りリンク送信単位で指示が実行される。
【０１２７】
ＵＥが指示オフセットＫに関する情報を取得したとき、第１の下りリンク送信単位セットの前のＥ個の上りリンク送信単位は、第１の下りリンク送信単位セットをＫ個の送信単位だけ前方にオフセットすることにより得られる下りリンク送信単位の前のＥ個の上りリンク送信単位を含む。一例として図１０Ｃを使用する。Ｋ＝３であり、ＵＥは、下りリンク送信単位セット４に含まれる２つの下りリンク送信単位（送信単位１２及び１３）上でＷｔ＝２を受信する。ネットワークデバイスは、１つの下りリンク送信単位セットについての受信応答、具体的に言えば、下りリンク送信単位セット４に含まれる最初の下りリンク送信単位（送信単位１２）を３つの下りリンク送信単位だけ前方にオフセットすることにより得られる下りリンク送信単位（送信単位９）の前の上りリンク送信単位（送信単位７）上でＵＥにより送出される、下りリンク送信単位セット１についての受信応答を指示する。
【０１２８】
ＵＥがネットワークデバイスの指示遅延Ｊを示す情報を取得したとき、Ｊは０以上の正の整数である。Ｊが１以上である場合、第１の下りリンク送信単位セットの前のＥ個の上りリンク送信単位は、第１の下りリンク送信単位セットをＪ−１個の送信単位だけ前方にオフセットすることにより得られる下りリンク送信単位の前のＥ個の上りリンク送信単位を含む。一例として図１０Ｃを使用する。Ｊ＝４であり、ＵＥは、下りリンク送信単位セット４に含まれる２つの下りリンク送信単位（送信単位１２及び１３）上でＷｔ＝２を受信する。ネットワークデバイスは、１つの下りリンク送信単位セットについての受信応答、具体的に言えば、下りリンク送信単位セット４に含まれる最初の下りリンク送信単位（送信単位１２）を４−１個の下りリンク送信単位だけ前方にオフセットすることにより得られる下りリンク送信単位（送信単位９）の前の上りリンク送信単位（送信単位７）上でＵＥにより送出される、下りリンク送信単位セット１についての受信応答を指示する。
【０１２９】
ＵＥが指示オフセットＫに関する情報を取得したとき、各変更の後に存在する最初の下りリンク送信単位の前の上りリンク送信単位は、各変更の後に存在する最初の下りリンク送信単位をＫ個の送信単位だけ前方にオフセットすることにより得られる下りリンク送信単位の前の上りリンク送信単位を含む。一例として図１０Ｂを使用する。Ｋ＝１であり、下りリンク送信単位セット３は、３つの下りリンク送信単位（送信単位８、９、及び１０）を含み、Ｗｔは、下りリンク送信単位セット３内で１回変わる。ネットワークデバイスは、１つの下りリンク送信単位セットについての受信応答、具体的に言えば、１つの変更の後に得られる最初の下りリンク送信単位（送信単位９）を１つの下りリンク送信単位だけ前方にオフセットすることにより得られる下りリンク送信単位の前の上りリンク送信単位（送信単位７）上でＵＥにより送出される、下りリンク送信単位セット１についての受信応答を指示する。
【０１３０】
ＵＥがネットワークデバイスの指示遅延Ｊを示す情報を取得し、Ｊが０以上の正の整数であるとき、各変更の後に存在する最初の下りリンク送信単位の前の上りリンク送信単位は、各変更の後に存在する最初の下りリンク送信単位をＪ−１個の送信単位だけ前方にオフセットすることにより得られる下りリンク送信単位の前の上りリンク送信単位を含む。一例として図１０Ｂを使用する。Ｊ＝２であり、下りリンク送信単位セット３は、３つの下りリンク送信単位（送信単位８、９、及び１０）を含み、Ｗｔは、下りリンク送信単位セット３内で１回変わる。ネットワークデバイスは、１つの下りリンク送信単位セットについての受信応答、具体的に言えば、１つの変更の後に得られる最初の下りリンク送信単位（送信単位９）を２−１個の下りリンク送信単位だけ前方にオフセットすることにより得られる下りリンク送信単位の前の上りリンク送信単位（送信単位７）上でＵＥにより送出される、下りリンク送信単位セット１についての受信応答を指示する。あるいは、ネットワークデバイスは、１つの下りリンク送信単位セットについての受信応答、具体的に言えば、１つの変更の後に得られる最初の下りリンク送信単位（送信単位９）からＪを引いた後に得られる上りリンク送信単位（送信単位９−２）上でＵＥにより送出される、下りリンク送信単位セットについての受信応答を指示することが考えられ得る。
【０１３１】
ＵＥがインデックスを取得した場合、ステップ５０３は、ＵＥが、インデックスに対応する上りリンク送信単位で、数量Ｗｔを示しかつ１つ以上の下りリンク送信単位で受信された情報に基づいてＷｔ個の下りリンク送信単位セットについての受信応答を送出することである。ＵＥは、１つ以上の下りリンク送信単位で下りリンク送信単位セットのインデックスを受信してもよい。１つ以上の下りリンク送信単位は、数量Ｗｔを示す情報が送出される１つ以上の下りリンク送信単位と同じでもよく、あるいは異なってもよい。あるいは、ＵＥは、ネットワークデバイスにより送出されたインデックスを受信するのでなく、前もってインデックスを取得してもよい。
【０１３２】
本出願で提供される指示方法によれば、ＵＥはインデックスを取得し、指示方法の精度をさらに改善し、通信品質及び効率を改善する。
【０１３３】
図６は、本出願による別の指示方法の概略フローチャートである。図６に示すように、指示方法は以下のステップを含む。
【０１３４】
Ｓ６０１：ネットワークデバイスが、数量Ｗｔを示す情報を決定し、Ｗｔは１以上の正の整数である。数量Ｗｔを示す情報は、ネットワークデバイスがＷｔ個の下りリンク送信単位セットについての受信応答を受信する必要があることを示すために使用される。受信される必要があるＷｔ個の下りリンク送信単位セットについての受信応答は、現在の下りリンク送信単位が属する下りリンク送信単位セットについての受信応答と、過去にネットワークデバイスにより受信を不成功に終えられたＷｔ−１個の下りリンク送信単位セットについての受信応答を含む。過去にネットワークデバイスにより受信を不成功に終えられたＷｔ−１個の下りリンク送信単位セットについての受信応答は、下りリンク送信単位セットの前の１つ以上の下りリンク送信単位でネットワークデバイスにより指示された１つ以上の下りリンク送信単位セットについての、ＵＥにより送出されたがネットワークデバイスにより受信を不成功に終えられた受信応答を含まない。一例として図８Ｃを使用する。下りリンク送信単位７上でネットワークデバイスにより送出され、かつ数量Ｗｔを示す情報が、Ｗｔ＝２を示している。現在の下りリンク送信単位が属する下りリンク送信単位セットについての受信応答は、下りリンク送信単位セット４についての受信応答であり、過去にネットワークデバイスにより受信を不成功に終えられた下りリンク送信単位セットについての受信応答は、下りリンク送信単位セット１及び２を含む。しかしながら、ネットワークデバイスが、下りリンク送信単位セット４の前の２つの下りリンク送信単位（送信単位４及び５）上で下りリンク送信単位セット１についての受信応答を既に指示しているため、ネットワークデバイスは、下りリンク送信単位７上で、下りリンク送信単位セット１についての受信応答を送出するようＵＥにはもはや指示しない。
【０１３５】
Ｓ６０２：ネットワークデバイスが、ユーザ装置ＵＥに対して、下りリンク送信単位セットに含まれる１つ以上の下りリンク送信単位で数量Ｗｔを示す情報を送出する。
【０１３６】
任意で、Ｓ６０３において、ネットワークデバイスが、下りリンク送信単位セットに対応する上りリンク送信単位で、ＵＥにより送出されたＷｔ個の下りリンク送信単位セットについての受信応答を受信し、１つの下りリンク送信単位セットは、１つの上りリンク送信単位に対応する。
【０１３７】
任意で、Ｓ６０４において、ネットワークデバイスが、下りリンク送信単位セットに含まれる１つ以上の下りリンク送信単位でＵＥに下りリンク送信単位セットのインデックスをさらに送出し、１つのインデックスは、１つの下りリンク送信単位セットに対応し、ネットワークデバイスは、インデックスに対応する上りリンク送信単位で、ＵＥにより送出されたＷｔ個の下りリンク送信単位セットについての受信応答を受信する。
【０１３８】
本出願で提供される指示方法によれば、ネットワークデバイスはインデックスを送出し、指示方法の精度をさらに改善し、通信品質及び効率を改善する。
【０１３９】
ネットワークデバイスが、複数の連続した上りリンク送信単位のいずれか１つにおいて１つ以上の下りリンク送信単位セットについての受信応答の受信を不成功に終えた場合、複数の連続した上りリンク送信単位の各々においてネットワークデバイスにより受信される必要がある１つ以上の下りリンク送信単位セットについての受信応答は、受信を不成功に終えられた１つ以上の下りリンク送信単位セットについての受信応答である。本明細書における「連続」は、隣接する上りリンク送信単位間に下りリンク送信単位が挿入されない場合を指すことを理解されたい。一例として図９Ａを使用する。送信単位３及び４は、連続した上りリンク送信単位とみなされ、送信単位４及び送信単位８は、不連続の上りリンク送信単位とみなされる。ネットワークデバイスは、送信単位３における下りリンク送信単位セット１についての受信応答の受信を不成功に終え、ネットワークデバイスは、送信単位４における下りリンク送信単位セット２についての受信応答を成功裏に受信している。送信単位５の前の送信単位３及び４は、２つの連続した上りリンク送信単位である。上りリンク送信単位の１つにおいて、ネットワークデバイスは、１つの下りリンク送信単位セットについての受信応答の受信を不成功に終えている。この場合、ＵＥが混乱するのを防ぐために、ネットワークデバイスは、送信単位３及び４上でＵＥにより送出された２つの下りリンク送信単位セットについての受信応答の受信を不成功に終えることが考えられる。したがって、ネットワークデバイスは、送信単位５上で数量Ｗｔを示す情報を送出して、Ｗｔ＝３であることを示す。
【０１４０】
本出願で提供される指示方法によれば、ネットワークデバイスは、ネットワークデバイスにより受信応答が受信される必要がある対象の下りリンク送信単位セットを示す。これは、受信応答がＵＥにより送出されず、又はネットワークデバイスにより成功裏に受信されなかったときに発生する通信障害の問題を回避し、通信システム全体の誤り率を低減し、通信品質及び効率を改善する。
【０１４１】
図５及び図６を参照し、以下で、ＴＤＤモードにおける異なる送信シナリオを例として用いることにより、本出願における指示方法について説明する。
【０１４２】
特定の指示方法が説明される前に、図７Ａ〜図１０Ｃを以下で説明する。下りリンク送信単位及び送信単位により占有される時間リソースの長さは同じでもよく、あるいは異なってもよい。限られたスペースに起因して、下りリンク送信単位セットは略して「セット」と呼ばれる。図面によれば、下りリンク送信単位セットは送信単位を含むように見える。しかしながら、本出願における下りリンク送信単位セットは下りリンク送信単位のみを含み、上りリンク送信単位を含まないことを理解されたい。図７Ａ〜図１０Ｃにおいて、現在の下りリンク送信単位が属する下りリンク送信単位セットに対応する送信単位でＵＥによりフィードバックが行われる必要がある対象の下りリンク送信単位セットの総数量がＷｔとして表される。Ｗｔ＝１は、現在の下りリンク送信単位セットに対応する送信単位においてＵＥによりフィードバックが行われる必要がある対象の下りリンク送信単位セットの総数量が１であることと、１つの下りリンク送信単位セットについての受信応答が送出される必要があることを示す。
【０１４３】
図７Ａ〜図７Ｄは、本出願による指示方法の概略図である。図７Ａから図７Ｄに示すように、送信単位１と送信単位２が下りリンク送信単位セット１を形成し、送信単位４が下りリンク送信単位セット２を形成し、送信単位５が下りリンク送信単位セット３を形成し、送信単位７、送信単位９、及び送信単位１０が下りリンク送信単位セット４を形成する。下りリンク送信単位セット１に対応する上りリンク送信単位１は送信単位３であり、下りリンク送信単位セット２に対応する上りリンク送信単位２は送信単位６であり、下りリンク送信単位セット３に対応する上りリンク送信単位３は送信単位８であり、下りリンク送信単位セット４に対応する上りリンク送信単位４は送信単位ｎであり、ｎは１以上の正の整数である。
【０１４４】
図７Ａに示すように、ネットワークデバイスは、送信単位１及び２上で数量を示す情報を送出し、ＵＥは、Ｗｔ＝１を取得する。この場合、ＵＥは、１つの下りリンク送信単位セット、すなわち下りリンク送信単位セット１についての受信応答が、上りリンク送信単位１（送信単位３）上で送出されるべきであることがわかる。ネットワークデバイスは、送信単位３における下りリンク送信単位セット１についての受信応答の受信を不成功に終える。ネットワークデバイスは、送信単位４上で数量を示す情報を送出し、ＵＥは、Ｗｔ＝２を取得する。この場合、ＵＥは、２つの下りリンク送信単位セットについての受信応答、すなわち、下りリンク送信単位セット１及び下りリンク送信単位セット２についての受信応答が、上りリンク送信単位２（送信単位６）上で送出されるべきであることがわかる。ネットワークデバイスは、送信単位５上で数量を示す情報を送出し、ＵＥは、Ｗｔ＝１を取得する。この場合、ＵＥは、１つの下りリンク送信単位セットについての受信応答、すなわち、下りリンク送信単位セット３についての受信応答が、上りリンク送信単位３（送信単位８）上で送出されるべきであることがわかる。ＵＥは、送信単位６上で２つの下りリンク送信単位セットについての受信応答を成功裏に送出する。ネットワークデバイスは、送信単位７上で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。ネットワークデバイスは、送信単位８上で、ＵＥにより送出された受信応答の受信を不成功に終える。ネットワークデバイスは、送信単位９上で数量を示す情報を送出し、ＵＥは、Ｗｔ＝２を取得する。この場合、ＵＥは、２つの下りリンク送信単位セットについての受信応答、すなわち、下りリンク送信単位セット３及び下りリンク送信単位セット４についての受信応答が、送信単位ｎ上で送出されるべきであることがわかる。ネットワークデバイスは、送信単位１０上で数量を示す情報を送出し、ＵＥは、Ｗｔ＝２を取得する。この場合、ＵＥは、２つの下りリンク送信単位セットについての受信応答、すなわち、下りリンク送信単位セット３及び下りリンク送信単位セット４についての受信応答が、送信単位ｎ上で送出されるべきであることがわかる。
【０１４５】
図７Ａを参照し、図７Ｂに示すように、ネットワークデバイスが、送信単位５上で数量を示す情報を送出したとき、ネットワークデバイスが、送信単位６上でＵＥにより送出される、２つの下りリンク送信単位セットについての受信応答を受信しないため、受信応答を成功裏に受信できるかどうかを判定することができない。したがって、ネットワークデバイスは、Ｗｔを２に設定し得る。ＵＥが、Ｗｔ＝２を取得した場合、ＵＥは、２つの下りリンク送信単位セットについての受信応答、すなわち、下りリンク送信単位セット１及び下りリンク送信単位セット３についての受信応答が、送信単位８上で送出されるべきであることがわかる。ネットワークデバイスは、送信単位９及び送信単位１０上で数量を示す情報を送出し、ＵＥは、Ｗｔ＝３を取得する。この場合、ＵＥは、３つの下りリンク送信単位セットについての受信応答、すなわち、下りリンク送信単位セット１、下りリンク送信単位セット３、下りリンク送信単位セット４についての受信応答が、送信単位ｎ上で送出されるべきであることがわかる。
【０１４６】
図７Ａを参照し、図７Ｃに示すように、ＵＥは、送信単位３上で下りリンク送信単位セット１についての受信応答を成功裏に送出する。ネットワークデバイスは、送信単位４上で数量を示す情報を送出し、ＵＥは、Ｗｔ＝１を取得する。この場合、ＵＥは、１つの下りリンク送信単位セットについての受信応答、すなわち、下りリンク送信単位セット２についての受信応答が、送信単位６上で送出されるべきであることがわかる。
【０１４７】
図７Ａを参照し、図７Ｄに示すように、ネットワークデバイスは、送信単位６上で、ＵＥにより送出された２つの下りリンク送信単位セットについての受信応答の受信を不成功に終える。ネットワークデバイスは、送信単位７、送信単位９、及び送信単位１０上で数量を示す情報を送出し、ＵＥは、Ｗｔ＝３を取得する。この場合、ＵＥは、３つの下りリンク送信単位セットについての受信応答、すなわち、下りリンク送信単位セット１、下りリンク送信単位セット２、及び下りリンク送信単位セット４についての受信応答が、送信単位ｎ上で送出されるべきであることがわかる。
【０１４８】
図７Ａ〜図７Ｄの説明を参照し、図８Ａ〜図８Ｄは、本出願による別の指示方法の概略図である。図８Ａ〜図８Ｄに示すように、送信単位１は下りリンク送信単位セット１を形成し、送信単位２は下りリンク送信単位セット２を形成し、送信単位４と送信単位５は下りリンク送信単位セット３を形成し、送信単位７、送信単位９、及び送信単位１０は下りリンク送信単位セット４を形成する。
【０１４９】
図８Ａに示すように、ネットワークデバイスは、送信単位２上で数量を示す情報を送出し、ＵＥは、Ｗｔ＝１を取得する。この場合、ＵＥは、１つの下りリンク送信単位セットについての受信応答、すなわち、下りリンク送信単位セット２についての受信応答が、送信単位６上で送出されるべきであることがわかる。ネットワークデバイスは、送信単位３上で、ＵＥにより送出された下りリンク送信単位セット１についての受信応答の受信を不成功に終える。ネットワークデバイスは、送信単位４及び送信単位５上で数量を示す情報を送出し、ＵＥは、Ｗｔ＝２を取得する。この場合、ＵＥは、２つの下りリンク送信単位セットについての受信応答、すなわち、下りリンク送信単位セット１及び下りリンク送信単位セット３についての受信応答が、送信単位８上で送出されるべきであることがわかる。ＵＥは、送信単位６上で、１つの下りリンク送信単位セットについての受信応答、すなわち、下りリンク送信単位セット２についての受信応答を成功裏に送出する。ネットワークデバイスは、送信単位７上で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。下りリンク送信単位セット１についての受信応答が、送信単位４及び５上で送出された指示情報でスケジュールされているため、送信単位７ではＷｔ＝１である。ネットワークデバイスは、送信単位８上で、ＵＥにより送出された受信応答の受信を不成功に終える。ネットワークデバイスは、送信単位９及び送信単位１０上で数量を示す情報を送出し、ＵＥは、Ｗｔ＝３を取得する。この場合、ＵＥは、３つの下りリンク送信単位セットについての受信応答、すなわち、下りリンク送信単位セット１、下りリンク送信単位セット３、及び下りリンク送信単位セット４についての受信応答が、送信単位ｎ上で送出されるべきであることがわかる。
【０１５０】
図８Ａを参照し、図８Ｂに示すように、ネットワークデバイスは、送信単位７及び送信単位８上で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。
【０１５１】
図８Ａを参照し、図８Ｃに示すように、ネットワークデバイスは、送信単位６上で、ＵＥにより送出された１つの下りリンク送信単位セットについての受信応答の受信を不成功に終え、すなわち、下りリンク送信単位セット２についての受信応答を不成功に終える。ネットワークデバイスは、送信単位７、送信単位９、及び送信単位１０上で数量を示す情報を送出し、ＵＥは、Ｗｔ＝２を取得する。この場合、ＵＥは、２つの下りリンク送信単位セットについての受信応答、すなわち、下りリンク送信単位セット２及び下りリンク送信単位セット４についての受信応答が、送信単位ｎ上で送出されるべきであることがわかる。下りリンク送信単位セット１についての受信応答が、送信単位４及び５で送出された指示情報でスケジュールされているため、送信単位７ではＷｔ＝２である。ＵＥは、送信単位８上で、２つの下りリンク送信単位セットについての受信応答、すなわち、下りリンク送信単位セット１及び下りリンク送信単位セット３についての受信応答を成功裏に送出する。
【０１５２】
図８Ａを参照し、図８Ｄに示すように、ネットワークデバイスは、送信単位６上で、ＵＥにより送出された１つの下りリンク送信単位セットについての受信応答の受信を不成功に終え、すなわち、下りリンク送信単位セット２についての受信応答の受信を不成功に終える。ネットワークデバイスは、送信単位７上で数量を示す情報を送出し、ＵＥは、Ｗｔ＝３を取得する。この場合、ＵＥは、３つの下りリンク送信単位セットについての受信応答、すなわち、下りリンク送信単位セット１、下りリンク送信単位セット２、及び下りリンク送信単位セット４についての受信応答が、送信単位ｎ上で送出されるべきであることがわかる。ネットワークデバイスが、下りリンク送信単位セット１及び２についての受信応答を成功裏に受信していないため、送信単位７がスケジュールされるとき、Ｗｔ＝３である。ＵＥは、送信単位８上で、２つの下りリンク送信単位セットについての受信応答、すなわち、下りリンク送信単位セット１及び下りリンク送信単位セット３についての受信応答を成功裏に送出する。ネットワークデバイスは、送信単位９及び送信単位１０上で数量を示す情報を送出し、ＵＥは、Ｗｔ＝２を取得する。この場合、ＵＥは、２つの下りリンク送信単位セットについての受信応答、すなわち、下りリンク送信単位セット２及び下りリンク送信単位セット４についての受信応答が、送信単位ｎ上で送出されるべきであることがわかる。
【０１５３】
図８Ａを参照し、図８Ｅに示すように、ネットワークデバイスは、送信単位６上で、ＵＥにより送出された１つの下りリンク送信単位セットについての受信応答の受信を不成功に終え、すなわち、下りリンク送信単位セット２についての受信応答の受信を不成功に終える。ネットワークデバイスは、送信単位７上で数量を示す情報を送出し、ＵＥは、Ｗｔ＝３を取得する。この場合、ＵＥは、３つの下りリンク送信単位セットについての受信応答、すなわち、下りリンク送信単位セット１、下りリンク送信単位セット２、及び下りリンク送信単位セット４についての受信応答が、送信単位ｎ上で送出されるべきであることがわかる。ネットワークデバイスが、下りリンク送信単位セット１及び２についての受信応答を成功裏に受信していないため、送信単位７がスケジュールされるとき、Ｗｔ＝３である。ネットワークデバイスは、送信単位８上で、ＵＥにより送出された２つの下りリンク送信単位セットについての受信応答の受信を不成功に終え、すなわち、下りリンク送信単位セット１及び下りリンク送信単位セット３についての受信応答の受信を不成功に終える。ネットワークデバイスは、送信単位９及び送信単位１０上で数量を示す情報を送出し、ＵＥは、Ｗｔ＝４を取得する。この場合、ＵＥは、４つの下りリンク送信単位セットについての受信応答、すなわち、下りリンク送信単位セット１、下りリンク送信単位セット２、下りリンク送信単位セット３、及び下りリンク送信単位セット４についての受信応答が、送信単位ｎ上で送出されるべきであることがわかる。
【０１５４】
図７Ａ〜図７Ｄ及び／又は図８Ａ〜図８Ｄの説明を参照し、図９Ａ〜図９Ｅは、本出願による別の指示方法の概略図である。図９Ａ〜図９Ｅに示すように、送信単位１は下りリンク送信単位セット１を形成し、送信単位２は下りリンク送信単位セット２を形成し、送信単位６及び送信単位５は下りリンク送信単位セット３を形成し、送信単位７、送信単位９、及び送信単位１０は下りリンク送信単位セット４を形成する。下りリンク送信単位セット１に対応する上りリンク送信単位１は送信単位３であり、下りリンク送信単位セット２に対応する上りリンク送信単位２は送信単位４であり、下りリンク送信単位セット３に対応する上りリンク送信単位３は送信単位８であり、下りリンク送信単位セット４に対応する上りリンク送信単位４は送信単位ｎであり、ｎは１以上の正の整数である。
【０１５５】
図９Ａに示すように、ネットワークデバイスは、送信単位１上で数量を示す情報を送出し、ＵＥは、Ｗｔ＝１を取得する。この場合、ＵＥは、１つの下りリンク送信単位セット、すなわち下りリンク送信単位セット１についての受信応答が、送信単位３上で送出されるべきであることがわかる。ネットワークデバイスは、送信単位２上で数量を示す情報を送出し、ＵＥは、Ｗｔ＝１を取得する。この場合、ＵＥは、１つの下りリンク送信単位セットについての受信応答が送信単位４上で送出されるべきであることがわかる。ネットワークデバイスは、送信単位３上で、ＵＥにより送出された下りリンク送信単位セット１についての受信応答の受信を不成功に終える。ＵＥは、送信単位４上で、下りリンク送信単位セット２についての受信応答を成功裏に送出する。ネットワークデバイスは、送信単位５及び６上で数量を示す情報を送出し、ＵＥは、Ｗｔ＝３を取得する。この場合、ＵＥは、３つの下りリンク送信単位セット、すなわち下りリンク送信単位セット１、２、及び３についての受信応答が、送信単位３上で送出されるべきであることがわかる。この場合、ネットワークデバイスは、下りリンク送信単位セット１についての受信応答のみ受信を不成功に終えているが、送信単位５の前に送信単位３及び送信単位４があるため、Ｗｔ＝２の場合、ＵＥは、送信単位４に対応する下りリンク送信単位セット２についての受信応答をフィードバックする可能性があり、あるいは、下りリンク送信単位セットについて再度フィードバックが行われる必要があるところの下りリンク送信単位セットに対応する送信単位を決定することができない。したがって、ネットワークデバイスは、送信単位５及び６上で数量を示す情報を送出し、ＵＥが３つの下りリンク送信単位セットについての受信応答を送出する必要があることを示す。ネットワークデバイスは、送信単位７上で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。ネットワークデバイスは、送信単位８上で、ＵＥにより送出された下りリンク送信単位セット１、２、及び３についての受信応答の受信を不成功に終える。ネットワークデバイスは、送信単位９及び１０上で数量を示す情報を送出し、ＵＥは、Ｗｔ＝４を取得する。この場合、ＵＥは、４つの下りリンク送信単位セットについての受信応答、すなわち、下りリンク送信単位セット１、２、３、及び４についての受信応答が、送信単位ｎ上で送出されるべきであることがわかる。
【０１５６】
図９Ａを参照し、図９Ｂにおいて、ＵＥは、送信単位８上で下りリンク送信単位セット１、２、及び３についての受信応答を成功裏に送出する。ネットワークデバイスは、送信単位９及び１０で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。
【０１５７】
図９Ａを参照し、図９Ｃにおいて、ＵＥは、送信単位３上で下りリンク送信単位セット１についての受信応答を成功裏に送出する。ネットワークデバイスは、送信単位４上で、ＵＥにより送出された下りリンク送信単位セット２についての受信応答の受信を不成功に終える。ネットワークデバイスは、送信単位５及び６上で数量を示す情報を送出して、ＵＥが３つの下りリンク送信単位セットについての受信応答、すなわち、下りリンク送信単位セット１、２、及び３についての受信応答を送出する必要があることを示す。
【０１５８】
図９Ａを参照し、図９Ｄにおいて、ネットワークデバイスは、送信単位３上で、ＵＥにより送出された下りリンク送信単位セット１についての受信応答の受信を不成功に終える。ネットワークデバイスは、送信単位４上で、ＵＥにより送出された下りリンク送信単位セット２についての受信応答の受信を不成功に終える。ネットワークデバイスは、送信単位５及び６上で数量を示す情報を送出して、ＵＥが３つの下りリンク送信単位セットについての受信応答、すなわち、下りリンク送信単位セット１、２、及び３についての受信応答を送出する必要があることを示す。ネットワークデバイスは、送信単位７上で数量を示す情報を送出し、ＵＥは、Ｗｔ＝４を取得する。この場合、ＵＥは、４つの下りリンク送信単位セットについての受信応答、すなわち、下りリンク送信単位セット１、２、３、及び４についての受信応答が、送信単位ｎ上で送出されるべきであることがわかる。ネットワークデバイスは、送信単位８上で、ＵＥにより送出された下りリンク送信単位セット１、２、及び３についての受信応答の受信を不成功に終える。ネットワークデバイスは、送信単位９及び１０上で数量を示す情報を送出し、ＵＥは、Ｗｔ＝４を取得する。この場合、ＵＥは、４つの下りリンク送信単位セットについての受信応答、すなわち、下りリンク送信単位セット１、２、３、及び４についての受信応答が、送信単位ｎ上で送出されるべきであることがわかる。
【０１５９】
図９Ｄを参照し、図９Ｅにおいて、ＵＥは、送信単位８上で下りリンク送信単位セット１、２、及び３についての受信応答を成功裏に送出する。ネットワークデバイスは、送信単位９及び１０上で数量を示す情報を送出し、ＵＥは、Ｗｔ＝１を取得する。この場合、ＵＥは、１つの下りリンク送信単位セットについての受信応答、すなわち、下りリンク送信単位セット４についての受信応答が、送信単位ｎ上で送出されるべきであることがわかる。
【０１６０】
図７Ａ〜図９Ｅのいずれかの説明を参照し、図１０Ａ〜図１０Ｃは、本出願による別の指示方法の概略図である。図１０Ａ〜図１０Ｃに示すように、送信単位１、２、及び３は下りリンク送信単位セット１を形成し、送信単位４、５、及び６は下りリンク送信単位セット２を形成し、送信単位８、９、及び１０は下りリンク送信単位セット３を形成し、送信単位１２及び１３は下りリンク送信単位セット４を形成し、送信単位１５、１６、及び１８は下りリンク送信単位セット５を形成し、送信単位１９及び２０は下りリンク送信単位セット６を形成する。下りリンク送信単位セット１に対応する上りリンク送信単位１は送信単位７であり、下りリンク送信単位セット２に対応する上りリンク送信単位２は送信単位１１であり、下りリンク送信単位セット３に対応する上りリンク送信単位３は送信単位１４であり、下りリンク送信単位セット４に対応する上りリンク送信単位４は送信単位１７であり、下りリンク送信単位セット５に対応する上りリンク送信単位５は送信単位２１であり、下りリンク送信単位セット６に対応する上りリンク送信単位６は送信単位２２である。
【０１６１】
図１０Ａにおいて、指示オフセットＫに関する情報は０に等しく、すなわち、ネットワークデバイスは指示遅延を有さない。図１０Ａに示すように、ネットワークデバイスは、送信単位１、２、及び３上で数量を示す情報を送出し、ＵＥは、Ｗｔ＝１を取得する。この場合、ＵＥは、１つの下りリンク送信単位セット、すなわち下りリンク送信単位セット１についての受信応答が、送信単位７上で送出されるべきであることがわかる。ネットワークデバイスは、送信単位４、５、及び６上で数量を示す情報を送出し、ＵＥは、Ｗｔ＝１を取得する。この場合、ＵＥは、１つの下りリンク送信単位セットについての受信応答が送信単位１１上で送出されるべきであることがわかる。
【０１６２】
ネットワークデバイスは、送信単位７上で下りリンク送信単位セット１についての受信応答の受信を不成功に終える。送信単位１上でＵＥにより送出された、下りリンク送信単位セット１についての、受信を不成功に終えられた受信応答について、ネットワークデバイスは直ぐに、送信単位８上で再度指示を実行し、すなわち、送信単位１４上で下りリンク送信単位セット１及び３についての受信応答をフィードバックするよう、送信単位８上でＵＥに指示し得る。したがって、Ｗｔ＝２である。ネットワークデバイスは、送信単位８、９、及び１０上で数量を示す情報を送出し、ＵＥは、Ｗｔ＝２を取得する。この場合、ＵＥは、２つの下りリンク送信単位セットについての受信応答、すなわち、下りリンク送信単位セット１及び下りリンク送信単位セット３についての受信応答が、送信単位１４上で送出されるべきであることがわかる。
【０１６３】
ネットワークデバイスは、送信単位１１上で下りリンク送信単位セット２についての受信応答の受信を不成功に終える。送信単位１１上でＵＥにより送出された、下りリンク送信単位セット２についての、受信を不成功に終えられた受信応答について、ネットワークデバイスは直ぐに、送信単位１２上で再度指示を実行し、すなわち、送信単位１７上で下りリンク送信単位セット２及び４についての受信応答をフィードバックするよう、送信単位１２上でＵＥに指示し得る。したがって、Ｗｔ＝２である。ネットワークデバイスは、送信単位１２及び１３上で数量を示す情報を送出し、ＵＥは、Ｗｔ＝２を取得する。この場合、ＵＥは、２つの下りリンク送信単位セットについての受信応答、すなわち、下りリンク送信単位セット２及び下りリンク送信単位セット４についての受信応答が、送信単位１７上で送出されるべきであることがわかる。
【０１６４】
ネットワークデバイスは、送信単位１４上で下りリンク送信単位セット１及び３についての受信応答の受信を不成功に終える。送信単位１４上でＵＥにより送出された、下りリンク送信単位セット１及び３についての、受信を不成功に終えられた受信応答について、ネットワークデバイスは直ぐに、送信単位１５上で再度指示を実行し、すなわち、送信単位１７上で下りリンク送信単位セット１、３、及び５についての受信応答をフィードバックするよう、送信単位１５上でＵＥに指示し得る。したがって、Ｗｔ＝３である。
【０１６５】
ネットワークデバイスは、送信単位１７上で下りリンク送信単位セット２及び４についての受信応答の受信を不成功に終える。送信単位１７上でＵＥにより送出された、下りリンク送信単位セット２及び４についての、受信を不成功に終えられた受信応答について、ネットワークデバイスは直ぐに、送信単位１８上で再度指示を実行し、すなわち、送信単位２１上で下りリンク送信単位セット２及び４についての受信応答をフィードバックするよう、送信単位１８上でＵＥに指示し得る。さらに、下りリンク送信単位セット１、３、及び５についての受信応答もネットワークデバイスにより成功裏に受信されず、再度示されない。したがって、Ｗｔ＝５である。ネットワークデバイスは、送信単位１８上で数量を示す情報を送出し、ＵＥは、Ｗｔ＝５を取得する。この場合、ＵＥは、５つの下りリンク送信単位セットについての受信応答、すなわち、下りリンク送信単位セット１、２、３、４、及び５についての受信応答が、送信単位２１上で送出されるべきであることがわかる。送信単位１５、１６、及び１８が同じ下りリンク送信単位セットに属するため、下りリンク送信単位セット１、３、及び５についての受信応答の送出が送信単位１５及び１６上で示される場合、ネットワークデバイスは、下りリンク送信単位セット１、３、及び５の指示が繰り返されており、下りリンク送信単位１８上の新しい指示ではないと考えると考えられることを理解されたい。
【０１６６】
ネットワークデバイスは、送信単位１９及び２０上で数量を示す情報を送出し、ＵＥは、Ｗｔ＝１を取得する。この場合、ＵＥは、１つの下りリンク送信単位セット、すなわち、下りリンク送信単位セット６についての受信応答が、送信単位２２上で送出されるべきであることがわかる。
【０１６７】
図１０Ａを参照し、図１０Ｂに示すように、図１０Ｂの指示オフセットＫに関する情報はＫ＝１を示し、すなわち、ネットワークデバイスの遅延は２つの送信単位である。図１０Ｂに示すとおりである。
【０１６８】
ネットワークデバイスは、送信単位７上で下りリンク送信単位セット１についての受信応答の受信を不成功に終える。送信単位７上でＵＥにより送出された、下りリンク送信単位セット１についての、受信を不成功に終えられた受信応答について、ネットワークデバイスは、送信単位８上で再度指示を直ぐに実行することができない。すなわち、送信単位８で示されるＷｔは、依然として１である。ネットワークデバイスは、送信単位７＋２において、ＵＥが２つの下りリンク送信単位セットについての受信応答を送出する必要があることを示し、すなわち、送信単位９上で、ＵＥが送信単位１４上で下りリンク送信単位セット１及び３についての受信応答をフィードバックすることを示し得る。ＵＥは、Ｗｔ＝２を取得する。Ｗｔが１回変わるため、ＵＥにより取得される１つの下りリンク送信単位セットについての受信応答は、送信単位９を１つの送信単位だけ前方にオフセットすることにより得られる下りリンク送信単位の前の上りリンク送信単位（送信単位７）上でフィードバックされる必要がある、１つの下りリンク送信単位セットについての受信応答、すなわち、下りリンク送信単位セット１についての受信応答である。
【０１６９】
ネットワークデバイスは、送信単位１１上で下りリンク送信単位セット２についての受信応答の受信を不成功に終える。送信単位１１上でＵＥにより送出された、下りリンク送信単位セット２についての、受信を不成功に終えられた受信応答について、ネットワークデバイスは、送信単位１２上で再度指示を直ぐに実行することができない。すなわち、送信単位１２で示されるＷｔは、依然として１である。ネットワークデバイスは、送信単位１１＋２において、ＵＥが２つの下りリンク送信単位セットについての受信応答を送出する必要があることを示し、すなわち、送信単位１３上で、ＵＥが送信単位１７上で下りリンク送信単位セット２及び４についての受信応答をフィードバックすることを示し得る。ＵＥは、Ｗｔ＝２を取得する。Ｗｔが１回変わるため、ＵＥにより取得される２−１個の下りリンク送信単位セットについての受信応答は、送信単位１３を１つの送信単位だけ前方にオフセットすることにより得られる下りリンク送信単位の前の上りリンク送信単位（送信単位１１）上でフィードバックされる必要がある、１つの下りリンク送信単位セットについての受信応答、すなわち、下りリンク送信単位セット２についての受信応答である。
【０１７０】
ネットワークデバイスは、送信単位１４上で下りリンク送信単位セット１及び３についての受信応答の受信を不成功に終える。送信単位１４上でＵＥにより送出された、下りリンク送信単位セット１及び３についての、受信を不成功に終えられた受信応答について、ネットワークデバイスは、送信単位１５上で再度指示を直ぐに実行することができない。すなわち、送信単位１５で示されるＷｔは、依然として１である。ネットワークデバイスは、送信単位１４＋２において、ＵＥが３つの下りリンク送信単位セットについての受信応答を送出する必要があることを示し、すなわち、送信単位１６上で、ＵＥが送信単位２１上で下りリンク送信単位セット１、３、及び５についての受信応答をフィードバックすることを示し得る。ＵＥは、Ｗｔ＝３を取得する。Ｗｔが１回変わるため、ＵＥにより取得される３−１個の下りリンク送信単位セットについての受信応答は、送信単位１６を１つの送信単位だけ前方にオフセットすることにより得られる下りリンク送信単位の前の上りリンク送信単位（送信単位１４）上でフィードバックされる必要がある、２つの下りリンク送信単位セットについての受信応答、すなわち、下りリンク送信単位セット１及び３についての受信応答である。
【０１７１】
ネットワークデバイスは、送信単位１７上で下りリンク送信単位セット２及び４についての受信応答の受信を不成功に終える。送信単位１７上でＵＥにより送出された、下りリンク送信単位セット２及び４についての、受信を不成功に終えられた受信応答について、ネットワークデバイスは、送信単位１８上で再度指示を直ぐに実行することができない。すなわち、送信単位１８で示されるＷｔは、依然として３である。ネットワークデバイスは、送信単位１７＋２において、ＵＥが３つの下りリンク送信単位セットについての受信応答を送出する必要があることを示し、すなわち、送信単位１９上で、ＵＥが送信単位２２上で下りリンク送信単位セット２、４、及び６についての受信応答をフィードバックすることを示し得る。ＵＥは、Ｗｔ＝３を取得する。Ｗｔが変わらないため、ＵＥにより取得される３−１個の下りリンク送信単位セットについての受信応答は、下りリンク送信単位セット６内の最初の下りリンク送信単位１９を１つの送信単位だけ前方にオフセットすることにより得られる下りリンク送信単位の前の上りリンク送信単位（送信単位１７）上でフィードバックされる必要がある、２つの下りリンク送信単位についての受信応答、すなわち、下りリンク送信単位セット２及び４についての受信応答である。
【０１７２】
図１０Ｂを参照し、図１０Ｃの指示オフセットＫに関する情報はＫ＝３を示し、すなわち、ネットワークデバイスの遅延は４つの送信単位である。図１０Ｃに示すとおりである。
【０１７３】
ネットワークデバイスは、送信単位７上で下りリンク送信単位セット１についての受信応答の受信を不成功に終える。送信単位７上でＵＥにより送出された、下りリンク送信単位セット１についての、受信を不成功に終えられた受信応答について、ネットワークデバイスは、送信単位８、９、及び１０上で再度指示を直ぐに実行することができない。すなわち、送信単位８、９、及び１０で示されるＷｔは、依然として１である。さらに、送信単位７＋４が上りリンク送信単位であるため、ネットワークデバイスは、最も早くて送信単位１２上で、ＵＥが２つの下りリンク送信単位セットについての受信応答を送出する必要があることを示し、すなわち、送信単位１２上で、ＵＥが送信単位１５上で下りリンク送信単位セット１及び４についての受信応答をフィードバックすることを示すことができる。ＵＥは、Ｗｔ＝２を取得する。Ｗｔが変わらないため、ＵＥにより取得される１つの下りリンク送信単位セットについての受信応答は、下りリンク送信単位セット４内の最初の送信単位１２を３つの送信単位だけ前方にオフセットすることにより得られる下りリンク送信単位の前の上りリンク送信単位（送信単位７）上でフィードバックされる必要がある、１つの下りリンク送信単位セットについての受信応答、すなわち、下りリンク送信単位セット１についての受信応答である。
【０１７４】
ネットワークデバイスは、送信単位１１上で下りリンク送信単位セット２についての受信応答の受信を不成功に終える。送信単位１１上でＵＥにより送出された、下りリンク送信単位セット２についての、受信を不成功に終えられた受信応答について、ネットワークデバイスは、送信単位１２上で再度指示を直ぐに実行することができない。すなわち、送信単位１２で示されるＷｔは、依然として２である。さらに、送信単位１１＋４が上りリンク送信単位であるため、ネットワークデバイスは、最も早くて送信単位１６上で、ＵＥが２つの下りリンク送信単位セットについての受信応答を送出する必要があることを示すことができる。下りリンク送信単位セット５は、３つの送信単位１６、１７、及び１８を含む。したがって、ＵＥは、最後の下りリンク送信単位（送信単位１８）に基づいて、下りリンク送信単位セット５に対応する上りリンク送信単位（送信単位２１）上で送出される必要がある、３つの下りリンク送信単位セットについての受信応答を取得する。ＵＥは、送信単位１８上でＷｔ＝３を取得する。Ｗｔが１回変わるため、ＵＥにより取得される１つの下りリンク送信単位セットについての受信応答は、送信単位１８を３つの送信単位だけ前方にオフセットすることにより得られる下りリンク送信単位の前の上りリンク送信単位（送信単位１４）上でフィードバックされる必要がある、１つの下りリンク送信単位セットについての受信応答、すなわち、下りリンク送信単位セット３についての受信応答である。ＵＥにより取得される別の下りリンク送信単位セットについての受信応答は、下りリンク送信単位セット５内の最初の下りリンク送信単位（送信単位１６）を３つの送信単位だけ前方にオフセットすることにより得られる下りリンク送信単位の前の上りリンク送信単位（送信単位１１）上でフィードバックされる必要がある、１つの下りリンク送信単位セットについての受信応答、すなわち、下りリンク送信単位セット２についての受信応答である。結論として、ＵＥは、送信単位２１上で、合計３つの下りリンク送信単位セット、すなわち下りリンク送信単位セット２、３、及び５についての受信応答を送出する必要がある。
【０１７５】
ＵＥは、送信単位２０上でＷｔ＝３を取得する。Ｗｔが変わらないため、ＵＥにより取得される２つの下りリンク送信単位セットについての受信応答は、下りリンク送信単位セット６内の最初の下りリンク送信単位（送信単位１９）を３つの送信単位だけ前方にオフセットすることにより得られる下りリンク送信単位の前の上りリンク送信単位（送信単位１５）上でフィードバックされる必要がある、２つの下りリンク送信単位セットについての受信応答、すなわち、下りリンク送信単位セット１及び４についての受信応答である。結論として、ＵＥは、送信単位２２上で、合計３つの下りリンク送信単位セット、すなわち下りリンク送信単位セット１、４、及び６についての受信応答を送出する必要がある。
【０１７６】
図１１Ａは、本出願による別の指示方法の概略フローチャートである。図１１Ａに示すように、指示方法は以下のステップを含む。
【０１７７】
Ｓ１１０１：ＵＥが、下りリンク送信単位セットに含まれる１つ以上の下りリンク送信単位で、ネットワークデバイスにより送出されたビットマップを受信する。ビットマップは、ビットマップ（bitmap）と呼ばれ得る。
【０１７８】
ビットマップは、下りリンク送信単位セットに対応する上りリンク送信単位で１つ以上の下りリンク送信単位セットについての受信応答を送出するようＵＥに指示するために使用される。ネットワークデバイスは、最大Ｍ個の下りリンク送信単位セットをサポートする。Ｍが１以上の正の整数である場合、ビットマップ内のビット数量はＭである。ビットマップ内の１ビットは、ＵＥが１つの下りリンク送信単位セットについての受信応答を送出するかどうかを示すために使用される。
【０１７９】
各下りリンク送信単位セットに対応する受信応答に含まれる情報ビットの数量（これは、いくつかの実装解決策においてＨＡＲＱ‐ＡＣＫフィードバックコードブックにおけるビット数量として参照されてもよい）は、ＤＣＩシグナリングにおける関連する指示、例えば、ＬＴＥ／ＮＲシステムにおいて定義されるＤＡＩフィールドに基づいて決定されてもよい。具体的に、ＤＡＩフィールドは、カウンタＤＡＩとトータルＤＡＩインデックスを含む。任意で、ＤＡＩフィールドのインジケータは、応答される必要がある下りリンク送信単位セットの総数量を参照して更新されるべきである。例えば、トータルＤＡＩは、ＵＥにより応答される必要がある下りリンク送信単位の総数量を示すために使用され、この数量は、応答される必要がある１つ以上の下りリンク送信単位セットに含まれる下りリンク送信単位の総数量に等しい。
【０１８０】
図１２を参照し、ネットワークデバイスが最大４つの下りリンク送信単位セットをサポートする、すなわちＭ＝４である場合、ビットマップは、４ビットのビットマップである。ＵＥは、下りリンク送信単位セットに含まれる下りリンク送信単位１上でビットマップ０００１を受信する。ビットマップ内の最後のビットは、ＵＥが下りリンク送信単位セット１についての受信応答を送出するかどうかを示すために使用される。ビットマップ内の最後のビットが１のとき、最後のビットは、下りリンク送信単位セット１についての受信応答を送出するようＵＥに指示するために使用される。ビットマップ内の最後のビットが０のとき、最後のビットは、ＵＥが下り送信単位セット１についての受信応答を送出しないことを示すために使用される。
【０１８１】
本出願で提供される指示方法によれば、受信応答が送出される対象の下りリンク送信単位セットと、受信応答が送出される上りリンク送信単位が、ＵＥに対して示される。これは、受信応答が送出されず、又はネットワークデバイスにより成功裏に受信されないときに発生する通信障害の問題を回避し、通信システム全体の誤り率を低減し、通信品質及び効率を改善する。
【０１８２】
任意で、Ｓ１１０２において、ＵＥが、下りリンク送信単位セットのインデックスを取得する。１つのインデックスは、１つの下りリンク送信単位セットに対応する。
【０１８３】
ＵＥは、１つ以上の下りリンク送信単位で下りリンク送信単位セットのインデックスを受信してもよい。１つ以上の下りリンク送信単位は、ビットマップが送出された１つ以上の下りリンク送信単位と同じでもよく、あるいは異なってもよい。あるいは、ＵＥは、ネットワークデバイスにより送出されたインデックスを受信するのでなく、前もってインデックスを取得してもよい。
【０１８４】
図１２を参照し、下りリンク送信単位セット１のインデックスが１である場合、ビットマップ内の最後のビットは、ＵＥがインデックス１に対応する下りリンク送信単位セット１についての受信応答を送出するかどうかを示すために使用される。
【０１８５】
本出願で提供される指示方法によれば、ＵＥはインデックスを取得し、指示方法の精度をさらに改善し、通信品質及び効率を改善する。
【０１８６】
任意で、Ｓ１１０３において、ＵＥが、上りリンク送信単位がアイドルかどうかを監視する。上りリンク送信単位がアイドルの場合、Ｓ１１０４が実行される。上りリンク送信単位がアイドルでない場合、Ｓ１１０４は実行されない。
【０１８７】
一般に、ＵＥは、信号を送出する前、上りリンク送信単位（例えば、アンライセンススペクトル又はアンライセンスチャネル）がアイドルかどうかを監視する。アンライセンススペクトル／チャネルのビジー／アイドル状態は、アンライセンススペクトル／チャネルの受信電力に基づいて決定されてもよい。受信電力が閾値未満である場合、アンライセンススペクトル／チャネルはアイドル状態であり、信号はアンライセンススペクトル／チャネル上で送出されてもよいと考えられ、そうでない場合、信号は送出されない。
【０１８８】
任意で、Ｓ１１０４において、ＵＥが、下りリンク送信単位セットに対応する上りリンク送信単位で、ビットマップに示された１つ以上の下りリンク送信単位セットについての受信応答を送出する。
【０１８９】
ＵＥがＳ１１０４を実行しても、ネットワークデバイスは、１つ以上の下りリンク送信単位セットについての受信応答の受信に失敗する可能性があることを理解されたい。
【０１９０】
図１２を参照し、ＵＥは、下りリンク送信単位セット１に対応する上りリンク送信単位１（送信単位３）上で、ビットマップに示された下りリンク送信単位セットについての受信応答を送出する。
【０１９１】
アンライセンススペクトル／チャネル／送信単位では、ＵＥが受信応答の送出を不成功に終える確率は高まる。ＵＥが受信応答の送出を不成功に終えた場合、ネットワークデバイスは、ＵＥに対してその後の送信において、受信応答が送出される必要がある対象の下りリンク送信単位セットと、受信応答が送出される必要がある上りリンク送信単位を示す必要があり、それにより、通信障害を回避し、通信品質及び効率を改善する。
【０１９２】
図１１Ｂは、本出願による別の指示方法の概略フローチャートである。図１１Ａの説明を参照し、図１１Ｂに示すように、指示方法は以下のステップを含む。
【０１９３】
Ｓ１１１１：ネットワークデバイスがビットマップを決定し、ビットマップは、ネットワークデバイスが１つ以上の下りリンク送信単位セットについての受信応答を受信する必要があることを示すために使用される。
【０１９４】
受信される必要がある１つ以上の下りリンク送信単位セットについての受信応答は、現在の下りリンク送信単位が属する下りリンク送信単位セットについての受信応答と、過去にネットワークデバイスにより受信を不成功に終えられた１つ以上の下りリンク送信単位セットについての受信応答を含む。過去にネットワークデバイスにより受信を不成功に終えられた１つ以上の下りリンク送信単位セットについての受信応答は、下りリンク送信単位セットの前の１つ以上の下りリンク送信単位でビットマップにおいてネットワークデバイスにより示された１つ以上の下りリンク送信単位セットについての、ネットワークデバイスにより受信を不成功に終えられた受信応答を含まない。図１２を参照し、ネットワークデバイスが送信単位４上でビットマップを送出したとき、現在の下りリンク送信単位が属する下りリンク送信単位セットについての受信応答は、送信単位セット３についての受信応答である。過去にネットワークデバイスにより受信を不成功に終えられた１つ以上の下りリンク送信単位セットについての受信応答は、下りリンク送信単位セット１についての受信応答を含む。したがって、送信単位４上で送出されるビットマップ０１０１は、下りリンク送信単位セット１及び３を示す。ネットワークデバイスが下りリンク送信単位７上でビットマップを送出したとき、現在の下りリンク送信単位が属する下りリンク送信単位セットについての受信応答は、下りリンク送信単位セット４についての受信応答である。過去にネットワークデバイスにより受信を不成功に終えられた１つ以上の下りリンク送信単位セットについての受信応答は、下りリンク送信単位セット１及び３についての受信応答を含む。しかしながら、ネットワークデバイスが、下りリンク送信単位４及び６上でビットマップを使用することにより下りリンク送信単位セット１及び３を示しているため、下りリンク送信単位７上で送出されるビットマップ１０００は、下りリンク送信単位セット１及び３を示すためにはこれ以上使用されず、下りリンク送信単位セット４のみを示すために使用される。
【０１９５】
Ｓ１１１２：ネットワークデバイスが、下りリンク送信単位セットに含まれる１つ以上の第１の下りリンク送信単位でユーザ装置ＵＥにビットマップを送出する。
【０１９６】
図１２を参照し、ネットワークデバイスは、送信単位１、２、４、及び６〜９でビットマップを送出する。
【０１９７】
任意で、Ｓ１１１３において、ネットワークデバイスが、下りリンク送信単位セットに対応する上りリンク送信単位で１つ以上の下りリンク送信単位セットについての受信応答を受信する。
【０１９８】
図１２を参照し、ネットワークデバイスは、送信単位３、５、１０、１１、及びｎで１つ以上の下りリンク送信単位セットについての受信応答を受信する。
【０１９９】
本出願で提供される指示方法によれば、ネットワークデバイスは、ネットワークデバイスにより受信応答が受信される必要がある対象の下りリンク送信単位セットを示す。これは、受信応答が送出されず、又はネットワークデバイスにより成功裏に受信されないときに発生する通信障害の問題を回避し、通信システム全体の誤り率を低減し、通信品質及び効率を改善する。
【０２００】
任意で、Ｓ１１１４において、ネットワークデバイスが、下りリンク送信単位セットに含まれる１つ以上の下りリンク送信単位でＵＥに下りリンク送信単位セットのインデックスを送出する。１つのインデックスは、１つの下りリンク送信単位セットに対応する。
【０２０１】
本出願で提供される指示方法によれば、ネットワークデバイスはインデックスを送出し、指示方法の精度をさらに改善し、通信品質及び効率を改善する。
【０２０２】
任意で、Ｓ１１１５において、ネットワークデバイスが、１つ以上の下りリンク送信単位セットについての受信応答を成功裏に受信した場合、ネットワークデバイスは、１つ以上の下りリンク送信単位セットの１つ又は複数のインデックスから１つ以上の下りリンク送信単位セットを結び付け解除する（unbinds）。
【０２０３】
図１２を参照し、ネットワークデバイスが、送信単位５上で下りリンク送信単位セット２についての受信応答を成功裏に受信した場合、下りリンク送信単位セット２は、インデックス２から結び付け解除される。インデックス２と下りリンク送信単位セット５との間に結び付け関係が確立される。
【０２０４】
本出願で提供される指示方法によれば、下りリンク送信単位セットとインデックスとの間の対応は、結び付け解除及び再結び付けされてビットマップ内のビット数量を低減し、それにより、通信負荷を軽減し、通信効率を改善する。
【０２０５】
図１１Ａ及び図１１Ｂを参照し、以下で、ＴＤＤモードにおける送信シナリオを一例として使用することにより、本出願における指示方法について説明する。特定の説明を提供する前に、図１２を以下で説明する。下りリンク送信単位及び送信単位により占有される時間リソースの長さは同じでもよく、あるいは異なってもよい。限られたスペースに起因して、下りリンク送信単位セットは略して「セット」と呼ばれる。図面によれば、下りリンク送信単位セットは送信単位を含むように見える。しかしながら、本出願における下りリンク送信単位セットは下りリンク送信単位のみを含み、上りリンク送信単位を含まないことを理解されたい。
【０２０６】
図１２は、本出願による指示方法の概略図である。現在の下りリンク送信単位セットに対応する送信単位でＵＥが送出する必要がある受信応答は、ビットマップを使用することにより示される。図１２に示すように、０００１、００１０、０１０１、１０００などが、本出願におけるビットマップである。ネットワークデバイスは最大４つの下りリンク送信単位セットをサポートすること、すなわち、ネットワークデバイスは同時に最大４つの下りリンク送信単位セットの処理をサポートすることが仮定される。各下りリンク送信単位セットは、対応するインデックスをさらに有してもよい。
【０２０７】
送信単位１は下りリンク送信単位セット１を形成し、下りリンク送信単位セット１のインデックスは１である。送信単位２は下りリンク送信単位セット２を形成し、下りリンク送信単位セット２のインデックスは２である。送信単位４及び送信単位６は下りリンク送信単位セット３を形成し、下りリンク送信単位セット３のインデックスは３である。送信単位７は下りリンク送信単位セット４を形成し、下りリンク送信単位セット４のインデックスは４である。ネットワークデバイスが、送信単位５上で下りリンク送信単位セット２についての受信応答を成功裏に受信するため、送信単位８及び９により形成される下りリンク送信単位セットのインデックスは２である。下りリンク送信単位セット１（及び／又はインデックス１）は送信単位３に対応し、下りリンク送信単位セット２（及び／又はインデックス２）は送信単位５に対応し、下りリンク送信単位セット３（及び／又はインデックス３）は送信単位１０に対応し、下りリンク送信単位セット４（及び／又はインデックス４）は送信単位１１に対応し、新しい下りリンク送信単位セット２（又は、下りリンク送信単位セット５として参照される）（及び／又はインデックス２）は送信単位ｎに対応し、ｎは１以上の正の整数である。
【０２０８】
ネットワークデバイスは、送信単位１上でビットマップ０００１を送出し、０００１を使用して、ＵＥが送信単位３上で下りリンク送信単位セット１についての受信応答を送出することを示す。ネットワークデバイスは、送信単位２上でビットマップ００１０を送出し、００１０を使用して、ＵＥが送信単位５上で下りリンク送信単位セット１についての受信応答を送出することを示す。ネットワークデバイスが、送信単位３上で下りリンク送信単位セット１についての受信応答の受信を不成功に終えた場合、送信単位１のインデックス１は解除できない。換言すれば、インデックス１は、別の下りリンク送信単位セットに割り当てることができない。ネットワークデバイスは、送信単位４及び６上でビットマップ０１０１を送出し、０１０１を使用して、ＵＥが送信単位１０上で下りリンク送信単位セット１及び３についての受信応答を送出することを示す。ネットワークデバイスが、送信単位５上で下りリンク送信単位セット２についての受信応答を成功裏に受信した場合、送信単位２のインデックス２は、ネットワークデバイスにより解除される。換言すれば、インデックス２は、別の下りリンク送信単位セットに割り当てることができる。ネットワークデバイスは、送信単位７上でビットマップ１０００を送出し、１０００を使用して、ＵＥが送信単位１１上で下りリンク送信単位セット４についての受信応答を送出することを示す。ネットワークデバイスは、送信単位８及び９上でビットマップ００１０を送出し、００１０を使用して、ＵＥが送信単位ｎ上で新しい下りリンク送信単位セット２（又は、下りリンク送信単位セット５として参照される）についての受信応答を送出することを示す。新しい下りリンク送信単位セット２（又は、下りリンク送信単位セット５と呼ばれる）のインデックスは、前に解除されたインデックス２である。ＵＥは、既存のＮＤＩフィールドを使用することにより、送信単位に対応する送信が新規送信か又は再送信かを決定することができる。したがって、ＵＥは、新しい下りリンク送信単位セット２についての受信応答を正確に送出することができる。ネットワークデバイスが、送信単位１０、１１、及びｎ上でそれぞれ下りリンク送信単位セット３、４、及び２についての受信応答を成功裏に受信した場合、前に下りリンク送信単位セット３、４、及び５に対応した、送信単位３、４、及び２のインデックス３、４、及び２は、ネットワークデバイスにより解除できる。換言すれば、インデックス３、４、及び２は、別の下りリンク送信単位セットに割り当てることができる。
【０２０９】
前述の１つ以上の指示方法を参照し、以下で、一例を用いることにより、下りリンク送信単位セットについての受信応答をＵＥにより決定する方法について説明する。ＵＥは、数量Ｗｔを示す情報及び／又はビットマップに基づいて、下りリンク送信単位セットについての受信応答を決定する。例えば、
【数１】
2021513788.tif 000003
のとき、決定は、擬似コードに基づいて実現できる。本出願は、ネットワークデバイスによるウィンドウ／下りリンク送信単位セットの指示、すなわち擬似コードにおける最も外側のループの一部に焦点を合わせることを理解されたい。３６．２１３又は３８．２１３における既存の手順が使用されてもよく、あるいは３６．２１３又は３８．２１３における手順が内層ループを実現するために適応的に修正／調整されてもよい。
【０２１０】
例えば、以下の擬似コードが実装に使用されもよい。
【数２】
2021513788.tif 000004
2021513788.tif 000005
2021513788.tif 000006
【０２１１】
本出願におけるネットワークデバイス又はＵＥは、前述の指示方法の１つ以上を参照して、以下で機能的送信ユニットに分割される。例えば、機能的送信ユニットは対応する機能に基づいて分割により取得されてもよく、あるいは２つ以上の機能が１つの送信ユニットに統合されてもよい。前述の統合送信ユニットの全部又は一部は、ソフトウェア、ハードウェア、ファームウェア、又はこれらの任意の組み合わせを使用することにより実現されてもよい。本出願において、送信ユニットへの分割は一例であり、論理的機能分割に過ぎないことに留意されたい。実際の実装において、別の分割方法が使用されてもよい。図１７は、本出願によるデバイス１００の概略構造図である。デバイス１００は、本出願におけるネットワークデバイス又はＵＥを実現するために適用されてもよい。図１７を参照し、デバイス１００は、受信ユニット１０１、送出ユニット１０２、及び処理ユニット１０３を含む。
【０２１２】
デバイス１００がネットワークデバイスの機能を実現するように構成されるとき、処理ユニット１０３は、数量Ｗｔを示す情報を決定するように構成され、送出ユニット１０２は、下りリンク送信単位セットに含まれる１つ以上の下りリンク送信単位でユーザ装置ＵＥに数量Ｗｔを示す情報を送出するように構成される。任意で、送出ユニット１０２は、下りリンク送信単位セットに含まれる１つ以上の下りリンク送信単位でＵＥに下りリンク送信単位セットのインデックスを送出するようにさらに構成される。任意で、受信ユニット１０１は、下りリンク送信単位セットに対応する上りリンク送信単位で、ＵＥにより送出されたＷｔ個の下りリンク送信単位セットについての受信応答を受信するように構成される。
【０２１３】
デバイス１００がネットワークデバイスの他の機能を実現するように構成されるとき、処理ユニット１０３は、ビットマップを決定するように構成され、送出ユニット１０２は、下りリンク送信単位セットに含まれる１つ以上の第１の下りリンク送信単位でユーザ装置ＵＥにビットマップを送出するように構成される。任意で、送出ユニット１０２は、下りリンク送信単位セットに含まれる１つ以上の下りリンク送信単位でＵＥに下りリンク送信単位セットのインデックスを送出するようにさらに構成される。任意で、受信ユニット１０１は、下りリンク送信単位セットに対応する上りリンク送信単位で１つ以上の下りリンク送信単位セットについての受信応答を受信するように構成される。
【０２１４】
デバイス１００がＵＥの機能を実現するように構成されるとき、受信ユニット１０１は、第１の下りリンク送信単位セットに含まれる１つ以上の下りリンク送信単位で、ネットワークデバイスにより送出されかつ数量Ｗｔを示す情報を受信するように構成される。任意で、処理ユニット１０３は、上りリンク送信単位がアイドルかどうかを監視するようにさらに構成されてもよい。任意で、デバイス１００は、上りリンク送信単位がアイドルかどうかを監視するように構成された監視ユニット１０４（図示せず）をさらに含んでもよい。任意で、受信ユニット１０１は、下りリンク送信単位セットのインデックスを受信するようにさらに構成される。任意で、処理ユニット１０３は、下りリンク送信単位セットのインデックスを取得するように構成される。任意で、送出ユニット１０２は、第１の下りリンク送信単位セットに対応する上りリンク送信単位で、数量Ｗｔを示しかつ１つ以上の下りリンク送信単位で受信された情報に基づいて、Ｗｔ個の下りリンク送信単位セットについての受信応答を送出するように構成される。
【０２１５】
デバイス１００がＵＥの別の機能を実現するように構成されるとき、受信ユニット１０１は、第１の下りリンク送信単位セットに含まれる１つ以上の下りリンク送信単位で、ネットワークデバイスにより送出されたビットマップを受信するように構成される。任意で、受信ユニット１０１は、下りリンク送信単位セットのインデックスを受信するようにさらに構成される。任意で、処理ユニット１０３は、下りリンク送信単位セットのインデックスを取得するように構成される。任意で、処理ユニット１０３は、上りリンク送信単位がアイドルかどうかを監視するようにさらに構成される。任意で、デバイス１００は、下りリンク送信単位セットのインデックスを取得するように構成された取得ユニット（図示せず）をさらに含んでもよい。任意で、デバイス１００は、上りリンク送信単位がアイドルかどうかを監視するように構成された監視ユニット１０４（図示せず）をさらに含んでもよい。任意で、送出ユニット１０２は、下りリンク送信単位セットに対応する上りリンク送信単位で、ビットマップに示された１つ以上の下りリンク送信単位セットについての受信応答を送出するように構成される。
【０２１６】
前述の指示方法のいずれか１つ以上を参照し、ネットワークデバイス及びＵＥは、さらなる機能を実現するためのさらなる機能ユニットをさらに含んでもよく、それにより、通信の混乱を回避し、通信品質及び効率を改善することを理解されたい。
【０２１７】
ネットワークデバイス又はＵＥがハードウェアを使用することにより実現されるとき、本出願に関連する概念、説明、詳細な説明、指示方法、手順、ステップについては、前述の説明中の内容に関する説明を参照する。本出願において、受信ユニットは、通信インターフェース、受信機、受信機回路などにより実現されてもよい。送出ユニットは、通信インターフェース、送信機、送信機回路などにより実現されてもよい。あるいは、受信ユニット及び送出ユニットの機能は一緒に統合されてもよく、通信インターフェース、トランシーバ、又はトランシーバ回路により実現されることを理解されたい。通信インターフェースは一般的な用語であり、２つ以上のインターフェースが含まれてもよい。
【０２１８】
前述の説明は、ハードウェア形態の簡素化された例に過ぎないことが理解され得る。実際の適用において、ネットワークデバイス又はＵＥを実現するハードウェアは前述の構造に限定されない。例えば、ハードウェアは、プロセッサ、メモリ、アンテナアレイ、デュプレクサ、及びベースバンド処理部をさらに含んでもよい。プロセッサは、中央処理装置（Central  Processing  Unit、ＣＰＵ）、汎用プロセッサ、デジタル信号プロセッサ（Digital  Signal  Processor、ＤＳＰ）、特定用途向け集積回路（Application-Specific  Integrated  Circuit、ＡＳＩＣ）、フィールドプログラマブルゲートアレイ（Field-Programmable  Gate  Array、ＦＰＧＡ）、他のプログラマブル論理デバイス若しくはハードウェアコンポーネント、又はこれらの組み合わせでもよい。あるいは、プロセッサは、計算機能を実現するプロセッサの組み合わせ、例えば、１つ以上のマイクロプロセッサを含む組み合わせ、又はＤＳＰとマイクロプロセッサの組み合わせでもよい。メモリは、プロセッサ内に配置されてもよく、あるいは独立して存在してもよい。デュプレクサは、アンテナアレイを実現するように構成され、信号を送受信するように構成される。送信機は、無線周波数信号とベースバンド信号との間の変換を実現するように構成される。送信機は通常、電力増幅器、デジタル‐アナログ変換器、及び周波数変換器を含み得、受信機は通常、低雑音増幅器、アナログ‐デジタル変換器、及び周波数変換器を含み得る。時に、受信機と送信機は、集合的にトランシーバと呼ばれることもある。ベースバンド処理部は、レイヤマッピング、プリコーディング、変調／復調、符号化／復調などの送信信号又は受信信号の処理を実現し、物理制御チャネル、物理データチャネル、物理報知チャネル、参照信号などを別個に処理するように構成される。一実装において、受信機及び送信機の機能は、トランシーバ回路又は専用トランシーバチップを使用することにより実現されると考えられてもよい。プロセッサは、専用のプロセッサチップ、プロセッサ回路、若しくはプロセッサ、又は汎用チップを使用することにより実現されると考えられてもよい。別の実装において、プロセッサ、受信機、及び送信機の機能を実現するためのプログラムコードがメモリに記憶され、汎用プロセッサは、メモリ内のコードを実行することによりプロセッサ、受信機、及び送信機の機能を実現する。
【０２１９】
例えば、ネットワークデバイスの実装については、図１３を参照する。図１３に示すように、ネットワークデバイス１０００が提供され、プロセッサ１００１、メモリ１００４、受信機１００３、及び送信機１００２を含む。受信機１００３及び送信機１００２は、別のネットワーク要素と通信するように構成され、メモリ１００４は、プロセッサ１００１により実行可能なプログラムを記憶するように構成され、プログラムは、本出願におけるいずれかの指示方法、ステップ、又は手順を実現する命令を含む。具体的な指示方法、手順、ステップ、有益な効果等については、前述の実施形態中の内容に関する説明を参照する。詳細はここで再度説明されない。別の例として、ネットワークデバイスの実装については、図１４を参照する。
【０２２０】
例えば、ＵＥの実装については、図１５を参照する。図１５に示すように、ＵＥ２０００が提供され、プロセッサ２００１、メモリ２００３、及びトランシーバ２００２を含む。トランシーバ２００２は、別のネットワーク要素と通信するように構成され（トランシーバ２００２は、アンテナを使用することにより別のネットワーク要素と通信し得る）、メモリ２００３は、プロセッサ２００１により実行可能なプログラムを記憶するように構成され、プログラムは、上述された本出願におけるいずれかの指示方法、ステップ、又は手順を実現する命令を含む。具体的な指示方法、手順、ステップ、有益な効果等については、前述の実施形態中の内容に関する説明を参照する。詳細はここで再度説明されない。別の例として、ＵＥの実装については、図１６を参照する。
【０２２１】
ネットワークデバイス又はＵＥがソフトウェアを使用することにより実現されるとき、本出願に関連する概念、説明、詳細な説明、及びステップについては、前述の指示方法の内容に関する説明を参照する。本出願における方法は、全体的に又は部分的に、コンピュータプログラムプロダクトの形態で実現されてもよい。コンピュータプログラムプロダクトは、１つ以上のコンピュータ命令を含む。コンピュータプログラム命令がコンピュータ上でロードされ、実行されたとき、本出願による手順又は機能の全部又は一部が生成される。コンピュータは、汎用コンピュータ、専用コンピュータ、コンピュータネットワーク、又は他のプログラマブル装置でもよい。コンピュータ命令は、コンピュータ読取可能記憶媒体に記憶されてもよく、あるいはコンピュータ読取可能記憶媒体から別のコンピュータ読取可能記憶媒体に送信されてもよい。例えば、コンピュータ命令は、ウェブサイト、コンピュータ、サーバ、又はデータセンターから、有線（例えば、同軸ケーブル、光ファイバ、又はデジタル加入者線（ＤＳＬ））又は無線（例えば、赤外線、無線、及びマイクロ波など）方式で、別のウェブサイト、コンピュータ、サーバ、又はデータセンターに送信されてもよい。コンピュータ読取可能記憶媒体は、コンピュータがアクセス可能な任意の使用可能媒体、又は、１つ以上の使用可能媒体を統合したサーバ又はデータセンターなどのデータ記憶デバイスでもよい。使用可能媒体は、磁気媒体（例えば、フロッピーディスク、ハードディスク、又は磁気テープ）、光媒体（例えば、ＤＶＤ）、半導体媒体（例えば、ソリッドステートドライブ（Solid  State  Drive（ＳＳＤ）））などでもよい。記憶媒体は、デバイス、モジュール、又はプロセッサに統合されてもよく、あるいは別個に配置されてもよい。
【０２２２】
本出願で提供される指示方法によれば、本出願は通信システムをさらに提供し、通信システムは、上述されたネットワークデバイス及びＵＥを含む。
【０２２３】
当業者は、本出願の範囲から逸脱することなく本出願に対する種々の修正及び変形を行えることが明らかである。本出願のこれらの修正及び変形が本出願の特許請求の範囲及びそれらの同等の技術の範囲内にある場合、本出願はこれらの修正及び変形をカバーすることがさらに意図される。
【図１】
2021513788.tif 000007
【図２】
2021513788.tif 000008
【図３】
2021513788.tif 000009
【図４】
2021513788.tif 000010
【図５】
2021513788.tif 000011
【図６】
2021513788.tif 000012
【図７Ａ】
2021513788.tif 000013
【図７Ｂ】
2021513788.tif 000014
【図７Ｃ】
2021513788.tif 000015
【図７Ｄ】
2021513788.tif 000016
【図８Ａ】
2021513788.tif 000017
【図８Ｂ】
2021513788.tif 000018
【図８Ｃ】
2021513788.tif 000019
【図８Ｄ】
2021513788.tif 000020
【図８Ｅ】
2021513788.tif 000021
【図９Ａ】
2021513788.tif 000022
【図９Ｂ】
2021513788.tif 000023
【図９Ｃ】
2021513788.tif 000024
【図９Ｄ】
2021513788.tif 000025
【図９Ｅ】
2021513788.tif 000026
【図１０Ａ】
2021513788.tif 000027
【図１０Ｂ】
2021513788.tif 000028
【図１０Ｃ】
2021513788.tif 000029
【図１１Ａ】
2021513788.tif 000030
【図１１Ｂ】
2021513788.tif 000031
【図１２】
2021513788.tif 000032
【図１３】
2021513788.tif 000033
【図１４】
2021513788.tif 000034
【図１５】
2021513788.tif 000035
【図１６】
2021513788.tif 000036
【図１７】
2021513788.tif 000037
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
指示方法であって、
ユーザ装置（ＵＥ）により、１つ以上の第１の下りリンク送信単位で、ネットワークデバイスにより送出されかつ数量Ｗｔを示す情報を受信するステップであり、前記数量Ｗｔは、前記ＵＥにより受信応答がフィードバックされる必要がある対象の第２の下りリンク送信単位セットの数量を示すために使用される、ステップと、
前記ＵＥにより、前記第２の下りリンク送信単位セットに対応する上りリンク送信単位で受信応答を送出するステップであり、前記受信応答はＷｔ個の下りリンク送信単位セットに対応する、ステップと、
を含む方法。
【請求項２】
Ｗｔが２に等しい場合、Ｗｔ個の下りリンク送信単位セットに対応する前記受信応答は、上りリンク送信単位に対応する下りリンク送信セットについての受信応答と、別の上りリンク送信単位に対応する下りリンク送信セットについての受信応答と、を含む、請求項１に記載の方法。
【請求項３】
１つの下りリンク送信単位セットは１つの上りリンク送信単位に対応する、請求項１又は２に記載の方法。
【請求項４】
前記１つ以上の第１の下りリンク送信単位は物理下りリンク制御チャネル（ＰＤＣＣＨ）である、請求項１乃至３のうちいずれか１項に記載の方法。
【請求項５】
前記第２の下りリンク送信単位セットは物理下りリンク共有チャネル（ＰＤＳＣＨ）セットである、請求項１乃至４のうちいずれか１項に記載の方法。
【請求項６】
前記情報は、前記１つ以上の下りリンク送信単位において下りリンク制御情報（ＤＣＩ）で搬送される、請求項１乃至５のうちいずれか１項に記載の方法。
【請求項７】
前記ＵＥにより、インデックスを取得するステップであり、前記インデックスは１つの下りリンク送信単位セットに対応する、ステップ、をさらに含む請求項１乃至６のうちいずれか１項に記載の方法。
【請求項８】
指示方法であって、
ネットワークデバイスにより、ユーザ装置ＵＥに対して１つ以上の下りリンク送信単位で、数量Ｗｔを示す情報を送出するステップであり、前記数量Ｗｔは、前記ＵＥにより受信応答がフィードバックされる必要がある対象の第２の下りリンク送信単位セットの数量を示すために使用される、ステップと、
前記ネットワークデバイスにより、前記第２の下りリンク送信単位セットに対応する上りリンク送信単位で受信応答を送出するステップであり、前記受信応答はＷｔ個の下りリンク送信単位セットに対応する、ステップと、
を含む方法。
【請求項９】
Ｗｔが２に等しい場合、Ｗｔ個の下りリンク送信単位セットに対応する前記受信応答は、上りリンク送信単位に対応する下りリンク送信セットについての受信応答と、別の上りリンク送信単位に対応する下りリンク送信セットについての受信応答と、を含む、請求項８に記載の方法。
【請求項１０】
１つの下りリンク送信単位セットは１つの上りリンク送信単位に対応する、請求項８又は９に記載の方法。
【請求項１１】
前記１つ以上の第１の下りリンク送信単位は物理下りリンク制御チャネル（ＰＤＣＣＨ）である、請求項８乃至１０のうちいずれか１項に記載の方法。
【請求項１２】
前記第２の下りリンク送信単位セットは物理下りリンク共有チャネル（ＰＤＳＣＨ）セットである、請求項８乃至１１のうちいずれか１項に記載の方法。
【請求項１３】
前記情報は、１つ以上の下りリンク送信単位において下りリンク制御情報（ＤＣＩ）で搬送される、請求項８乃至１２のうちいずれか１項に記載の方法。
【請求項１４】
指示装置であって、
命令を記憶するように構成されたメモリと、
前記メモリに結合された１つ以上のプロセッサと、を含み、
前記１つ以上のプロセッサは、前記命令を実行して当該装置に請求項１乃至７のうちいずれか１項に記載の方法を実行させるように構成される、指示装置。
【請求項１５】
指示装置であって、
命令を記憶するように構成されたメモリと、
前記メモリに結合された１つ以上のプロセッサと、を含み、
前記１つ以上のプロセッサは、前記命令を実行して当該装置に請求項８乃至１３のうちいずれか１項に記載の方法を実行させるように構成される、指示装置。
【請求項１６】
指示方法であって、
ネットワークデバイスにより、ビットマップを決定するステップであり、前記ビットマップは、前記ネットワークデバイスが１つ以上の下りリンク送信単位セットについての受信応答を受信する必要があることを示すために使用される、ステップと、
前記ネットワークデバイスにより、下りリンク送信単位セットに含まれる１つ以上の第１の下りリンク送信単位でユーザ装置ＵＥに前記ビットマップを送出するステップと、
を含む指示方法。
【請求項１７】
コンピュータにより実行されたときに請求項１乃至１３のうちいずれか１項に記載の方法が実行される命令を含むコンピュータ読取可能媒体。
【請求項１８】
プロセッサにより実行されたときに請求項１乃至１３のうちいずれか１項に記載の方法が実行されるプログラム。
【国際調査報告】
2021513788.tif 000038
2021513788.tif 000039
2021513788.tif 000040
2021513788.tif 000041